(57)【要約】【課題】複数人のユーザが透明ディスプレイ装置を挟んで対話する際に、情報共有を容易に図ることができる透明ディスプレイ装置を提供する。【解決手段】対向する第１表示面１１４ａ及び第２表示面１１４ｂを有する透明表示部を備える透明ディスプレイ装置１００であって、透明ディスプレイ装置１００は、第１表示面１１４ａ側にいる第１ユーザ４０１の第１音声を取り込み、第１音声を第１文字情報に変換し、第１文字情報を左右正像で第２表示面１１４ｂに表示する。【選択図】図６
2013041411.tif 000002
【特許請求の範囲】
【請求項１】
対向する第１表示面及び第２表示面を有する透明表示部を備える透明ディスプレイ装置であって、
前記第１表示面側にいる第１ユーザの第１音声を取り込み、
前記第１音声を第１文字情報に変換し、
前記第１文字情報を左右正像で前記第２表示面に表示する
透明ディスプレイ装置。
【請求項２】
前記第１文字情報を左右正像で前記第１表示面に表示する
請求項１に記載の透明ディスプレイ装置。
【請求項３】
前記第１ユーザが指定する前記第１表示面の指定位置、又は、前記第２表示面側にいる第２ユーザが指定する前記第２表示面の指定位置に、前記第１文字情報を表示する
請求項２に記載の透明ディスプレイ装置。
【請求項４】
前記第１音声の言語を、前記第２表示面側にいる第２ユーザが使用する言語に変換し、
変換した前記言語を前記文字情報として前記第２表示面に左右正像で表示する
請求項１に記載の透明ディスプレイ装置。
【請求項５】
前記透明ディスプレイ装置に供給される第２文字情報が前記透明表示部に表示される場合において、
前記第１音声に基づいて前記第１ユーザが使用する言語の種類を判定し、
前記第２表示面側にいる第２ユーザの第２音声を取り込み、前記第２音声に基づいて前記第２ユーザが使用する言語の種類を判定し、
前記第１表示面には、前記第２文字情報を前記第１ユーザが使用する言語に変換して左右正像で表示し、
前記第２表示面には、前記第２文字情報を前記第２ユーザが使用する言語に変換して左右正像で表示する
請求項１に記載の透明ディスプレイ装置。
【請求項６】
前記透明表示部に画像が表示される場合、
前記第１表示面及び前記第２表示面の一方には前記画像を左右正像で表示し、
前記第１表示面及び前記第２表示面の他方には前記画像を左右逆像で表示する
請求項１〜５のいずれか１項に記載の透明ディスプレイ装置。
【請求項７】
前記第２表示面において前記画像が表示される領域を含む所定の画像表示領域とは異なる領域である背景領域に、前記第１文字情報を表示する
請求項６に記載の透明ディスプレイ装置。
【請求項８】
前記第２表示面において前記画像が表示される領域を含む所定の画像表示領域内に、前記第１文字情報を表示する
請求項６に記載の透明ディスプレイ装置。
【請求項９】
前記第２表示面において前記第１音声に関連する特定のオブジェクト画像に対応付けて前記第１文字情報を表示する
請求項６に記載の透明ディスプレイ装置。
【請求項１０】
前記透明表示部は、表示パネルと当該表示パネルに対面する透過率変更部とを備え、
前記表示パネルに第１文字情報及び画像が表示される場合において、前記表示パネルにおいて前記第１文字情報が表示される文字情報表示領域に対面する部分における前記透過率変更部の透過率を第１透過率とし、前記表示パネルにおいて前記画像が表示される画像表示領域に対面する部分における前記透過率変更部の透過率を第２透過率とすると、
前記透明ディスプレイ装置は、前記第１透過率と前記第２透過率とを異ならせる
請求項１に記載の透明ディスプレイ装置。
【請求項１１】
前記第１透過率は、前記第２透過率よりも大きい
請求項１０に記載の透明ディスプレイ装置。
【請求項１２】
前記表示パネルにおける前記画像表示領域及び前記文字情報表示領域以外の領域である背景領域に対面する部分における前記透過率変更部の透過率を第３透過率とすると、
前記第３透過率は、前記第２透過率よりも大きい
請求項１０又は１１に記載の透明ディスプレイ装置。
【請求項１３】
前記画像が、静止画像と動画像とを含む場合、
前記表示パネルにおける前記画像表示領域のうち前記静止画像が表示される静止画像表示領域に対面する部分における前記透過率変更部の透過率を第４透過率とし、前記表示パネルにおける前記画像表示領域のうち前記動画像が表示される動画像表示領域に対面する部分における前記透過率変更部の透過率を第５透過率とすると、
前記第４透過率は、前記第５透過率よりも大きい
請求項１０〜１２のいずれか１項に記載の透明ディスプレイ装置。
【請求項１４】
前記第１文字情報は、前記第２表示面と前記第１表示面とにおいて、時分割駆動により所定期間毎に表示される
請求項２に記載の透明ディスプレイ装置。
【請求項１５】
前記透明表示部は、一つの透明表示パネルによって構成される
請求項１〜１４のいずれか１項に記載の透明ディスプレイ装置。
【請求項１６】
前記透明表示部は、前記第１表示面を有する第１表示パネルと、前記第２表示面を有する第２表示パネルとを含む
請求項１〜１４のいずれか１項に記載の透明ディスプレイ装置。
【発明の詳細な説明】
【技術分野】
【０００１】
本発明は、透明ディスプレイ装置に関し、特に、画像や文字情報を表示することが可能で、背景が透けて見える透明ディスプレイ装置に関する。
【背景技術】
【０００２】
近年、画像や文字情報を両面表示することが可能で、背景が透けて見える透明ディスプレイ装置が注目されている。特に、有機ＥＬ（Ｅｌｅｃｔｒｏ  Ｌｕｍｉｎｅｓｃｅｎｃｅ）を用いる透明ディスプレイ装置が注目されている。
【０００３】
例えば、この種の透明ディスプレイ装置として、特許文献1には、一対の透明電極及び当該一対の透明電極に挟まれた発光層を有するエレクトロルミネッセンス表示部と、当該表示部に隣接配置され、透明状態及び非透明状態を切替え可能な液晶調光シートとを備える表示装置が開示されている。
【先行技術文献】
【特許文献】
【０００４】
【特許文献１】特開２００７−０７１９４８号公報
【発明の概要】
【発明が解決しようとする課題】
【０００５】
ところで、上記透明ディスプレイ装置は、当該透明ディスプレイ装置の表と裏の両方に画像や文字情報等の情報を表示することができる。そこで、複数のユーザの間に上記透明ディスプレイ装置を置くことで、複数のユーザは、透明ディスプレイ装置に表示される情報を共有しながらコミュニケーションを図ることができる。
【０００６】
このような透明ディスプレイ装置に対しては、複数のユーザが当該透明ディスプレイ装置を挟んで対話する際に、よりコミュニケーションを図ることができるように、透明ディスプレイ装置を通じて情報を共有化できることが強く要望されている。
【０００７】
本発明は、このような課題を解決するものであり、複数人のユーザが透明ディスプレイ装置を挟んで対話する際に、情報共有を容易に図ることができる透明ディスプレイ装置を提供することを目的とする。
【課題を解決するための手段】
【０００８】
上記課題を解決するために、本発明の一態様に係る透明ディスプレイ装置は、対向する第１表示面及び第２表示面を有する透明表示部を備える透明ディスプレイ装置であって、前記第１表示面側にいる第１ユーザの第１音声を取り込み、前記第１音声を第１文字情報に変換し、前記第１文字情報を左右正像で前記第２表示面に表示するものである。
【発明の効果】
【０００９】
本発明によれば、複数のユーザが透明ディスプレイ装置を挟んで対話する際に、情報共有を容易に図ることができる。
【図面の簡単な説明】
【００１０】
【図１】（ａ）は、本発明の実施の形態１に係る透明ディスプレイ装置の概略構成を示す斜視図であり、（ｂ）は、同透明ディスプレイ装置の断面図である。
【図２】本発明の実施の形態１に係る透明ディスプレイ装置の構成を示すブロック図である。
【図３】本発明の実施の形態１に係る透明ディスプレイ装置における表示パネルの平面構成を示す図である。
【図４】本発明の実施の形態１に係る透明ディスプレイ装置における表示パネルの上面図である。
【図５】本発明の実施の形態１に係る透明ディスプレイ装置における表示パネルの断面図である。
【図６】（ａ）は、本発明の実施の形態１に係る透明ディスプレイ装置における第１表示面側の表示例を示す図であり、（ｂ）は、同透明ディスプレイ装置における第２表示面側の表示例を示す図である。
【図７】（ａ）は、本発明の実施の形態１に係る透明ディスプレイ装置における第１表示面側の別の表示例を示す図であり、（ｂ）は、同透明ディスプレイ装置における第２表示面側のその表示例を示す図である。
【図８】（ａ）は、本発明の実施の形態１に係る透明ディスプレイ装置における第１表示面側のさらに別の表示例を示す図であり、（ｂ）は、同透明ディスプレイ装置における第２表示面側のその表示例を示す図である。
【図９】（ａ）及び（ｂ）は、本発明の実施の形態１の変形例１に係る透明ディスプレイ装置における表示方法を説明するための図である。
【図１０】本発明の実施の形態１の変形例２に係る透明ディスプレイ装置の断面図である。
【図１１】本発明の実施の形態１の変形例２に係る液晶シャッタパネルの駆動方法を説明するための図である。
【図１２】本発明の実施の形態２に係る透明ディスプレイ装置の構成を示すブロック図である。
【図１３】（ａ）は、本発明の実施の形態２に係る透明ディスプレイ装置における第１表示面側の表示例を示す図であり、（ｂ）は、同透明ディスプレイ装置における第２表示面側の表示例を示す図である。
【図１４】（ａ）は、本発明の実施の形態２に係る透明ディスプレイ装置における第１表示面側の別の表示例を示す図であり、（ｂ）は、同透明ディスプレイ装置における第２表示面側のその表示例を示す図である。
【図１５】本発明の実施の形態３に係る透明ディスプレイ装置の構成を示すブロック図である。
【図１６】（ａ）は、本発明の実施の形態３に係る透明ディスプレイ装置における第１表示面側の表示例を示す図であり、（ｂ）は、同透明ディスプレイ装置における第２表示面側の表示例を示す図である。
【図１７】本発明の実施の形態４に係る透明ディスプレイ装置の構成を示すブロック図である。
【図１８】本発明の実施の形態４に係る透明ディスプレイ装置の表示レイアウトの一例を示す図である。
【図１９】（ａ）は、本発明の実施の形態４に係る透明ディスプレイ装置における第１表示面側の表示例を示す図であり、（ｂ）は、同透明ディスプレイ装置における第２表示面側の表示例を示す図である。
【図２０】（ａ）は、本発明の実施の形態４に係る透明ディスプレイ装置における第１表示面側の別の表示例を示す図であり、（ｂ）は、同透明ディスプレイ装置における第２表示面側のその表示例を示す図である。
【図２１】（ａ）は、本発明の実施の形態５に係る透明ディスプレイ装置における第１表示面側の表示例を示す図であり、（ｂ）は、同透明ディスプレイ装置における第２表示面側の表示例を示す図である。
【図２２】本発明の実施の形態６に係る透明ディスプレイ装置の構成を示すブロック図である。
【図２３】本発明の実施の形態６に係る透明ディスプレイ装置の断面図である。
【図２４】本発明の実施の形態６に係る透明ディスプレイ装置における表示パネルの断面図である。
【図２５】（ａ）は、本発明の実施の形態７に係る透明ディスプレイ装置の概略構成を示す斜視図であり、（ｂ）は、同透明ディスプレイ装置の断面図である。
【図２６】本発明の実施の形態７に係る透明ディスプレイ装置の構成を示すブロック図である。
【図２７】本発明の実施の形態７に係る透明ディスプレイ装置における画素部の構成の一例を示す断面図である。
【図２８】本発明の実施の形態７に係る透明ディスプレイ装置における透過率変更部の透過率を変更させるための領域を説明するための図である。
【図２９】（ａ）は、本発明の実施の形態７に係る透明ディスプレイ装置における第１表示面側の表示例を示す図であり、（ｂ）は、同透明ディスプレイ装置における第２表示面側の表示例を示す図である。
【図３０】一般的なＬＣＤパネルの画素断面図である。
【図３１】本発明に係る透明ディスプレイ装置において、ＬＣＤパネルを用いた場合の構成を示す図である。
【発明を実施するための形態】
【００１１】
本発明の一態様に係る透明ディスプレイ装置は、対向する第１表示面及び第２表示面を有する透明表示部を備える透明ディスプレイ装置であって、前記第１表示面側にいる第１ユーザの第１音声を取り込み、前記第１音声を第１文字情報に変換し、前記第１文字情報を左右正像で前記第２表示面に表示するものである。
【００１２】
本態様によれば、第１表示面側にいるユーザが発話した音声が文字情報として変換されて相手側の第２表示面に左右正像で表示される。これにより、複数人のユーザが透明ディスプレイ装置を挟んで対話する際に、情報共有を容易に図ることができる。
【００１３】
さらに、本発明の一態様に係る透明ディスプレイ装置において、前記第１文字情報を左右正像で前記第１表示面に表示することが好ましい。
【００１４】
これにより、第１音声の発話者である第１ユーザ自身も発話した自分の音声を文字情報として視認することができる。
【００１５】
さらに、本発明の一態様に係る透明ディスプレイ装置において、前記第１ユーザが指定する前記第１表示面の指定位置、又は、前記第２表示面側にいる第２ユーザが指定する前記第２表示面の指定位置に、前記第１文字情報を表示することが好ましい。
【００１６】
これにより、第１ユーザ又は第２ユーザが指定した位置に第１文字情報を表示させることができる。
【００１７】
さらに、本発明の一態様に係る透明ディスプレイ装置において、前記第１音声の言語を、前記第２表示面側にいる第２ユーザが使用する言語に変換し、変換した前記言語を前記文字情報として前記第２表示面に左右正像で表示することが好ましい。
【００１８】
これにより、第１ユーザが発した音声を反対側にいる第２ユーザが使用する言語に適合した文字情報に変換して表示することができる。
【００１９】
さらに、本発明の一態様に係る透明ディスプレイ装置において、前記透明ディスプレイ装置に供給される第２文字情報が前記透明表示部に表示される場合において、前記第１音声に基づいて前記第１ユーザが使用する言語の種類を判定し、前記第２表示面側にいる第２ユーザの第２音声を取り込み、前記第２音声に基づいて前記第２ユーザが使用する言語の種類を判定し、前記第１表示面には、前記第２文字情報を前記第１ユーザが使用する言語に変換して左右正像で表示し、前記第２表示面には、前記第２文字情報を前記第２ユーザが使用する言語に変換して左右正像で表示する、としてもよい。
【００２０】
さらに、本発明の一態様に係る透明ディスプレイ装置において、前記透明表示部に画像が表示される場合、前記第１表示面及び前記第２表示面の一方には前記画像を左右正像で表示し、前記第１表示面及び前記第２表示面の他方には前記画像を左右逆像で表示する、としてもよい。
【００２１】
さらに、本発明の一態様に係る透明ディスプレイ装置において、前記第２表示面において前記画像が表示される領域を含む所定の画像表示領域とは異なる領域である背景領域に、前記第１文字情報を表示する、としてもよい。また、本発明の一態様に係る透明ディスプレイ装置において、前記第２表示面において前記画像が表示される領域を含む所定の画像表示領域内に、前記第１文字情報を表示する、としてもよい。また、本発明の一態様に係る透明ディスプレイ装置において、前記第２表示面において前記第１音声に関連する特定のオブジェクト画像に対応付けて前記第１文字情報を表示する、としてもよい。
【００２２】
これにより、文字情報や画像の視認性とお互いのユーザの指の差し合い易さとを確保しつつ、相手の発話内容を所望の位置で視覚的に確認することができる。
【００２３】
また、本発明の一態様に係る透明ディスプレイ装置において、前記透明表示部は、表示パネルと当該表示パネルに対面する透過率変更部とを備え、前記表示パネルに第１文字情報及び画像が表示される場合において、前記表示パネルにおいて前記第１文字情報が表示される文字情報表示領域に対面する部分における前記透過率変更部の透過率を第１透過率とし、前記表示パネルにおいて前記画像が表示される画像表示領域に対面する部分における前記透過率変更部の透過率を第２透過率とすると、前記透明ディスプレイ装置は、前記第１透過率と前記第２透過率とを異ならせることが好ましい。
【００２４】
また、本発明の一態様に係る透明ディスプレイ装置において、前記第１透過率は、前記第２透過率よりも大きいことが好ましい。
【００２５】
また、本発明の一態様に係る透明ディスプレイ装置において、前記表示パネルにおける前記画像表示領域及び前記文字情報表示領域以外の領域である背景領域に対面する部分における前記透過率変更部の透過率を第３透過率とすると、前記第３透過率は、前記第２透過率よりも大きいことが好ましい。
【００２６】
また、本発明の一態様に係る透明ディスプレイ装置において、前記画像が、静止画像と動画像とを含む場合、前記表示パネルにおける前記画像表示領域のうち前記静止画像が表示される静止画像表示領域に対面する部分における前記透過率変更部の透過率を第４透過率とし、前記表示パネルにおける前記画像表示領域のうち前記動画像が表示される動画像表示領域に対面する部分における前記透過率変更部の透過率を第５透過率とすると、前記第４透過率は、前記第５透過率よりも大きいことが好ましい。
【００２７】
また、本発明の一態様に係る透明ディスプレイ装置において、前記第１文字情報は、前記第２表示面と前記第１表示面とにおいて、時分割駆動により所定期間毎に表示される、としてもよい。
【００２８】
また、本発明の一態様に係る透明ディスプレイ装置において、前記透明表示部は、一つの透明表示パネルによって構成される、としてもよい。
【００２９】
また、本発明の一態様に係る透明ディスプレイ装置において、前記透明表示部は、前記第１表示面を有する第１表示パネルと、前記第２表示面を有する第２表示パネルとを含むように構成してもよい。
【００３０】
以下、本発明に係る透明ディスプレイ装置について、実施の形態に基づいて説明するが、当然ながら本発明はこれらの実施の形態に限定されるものではなく、本発明の技術的範囲を逸脱しない範囲で適宜変更して実施することができる。また、以下の説明では、実質的に同一の構成要素には同一の符号を付しており、その詳しい説明は省略化又は簡略化する。
【００３１】
（実施の形態１）
以下、本発明の実施の形態１に係る透明ディスプレイ装置１００について、図面を参照しながら説明する。
【００３２】
なお、本明細書において、「透明」とは、透明又は透光性を有するという概念を含むものとする。また、本明細書において、「透過率」とは、表示パネルに入射される可視光の明るさ（光量）に対する、表示パネルを通過する可視光の明るさ（光量）の割合を指す。なお、「透明」とは、「透過率」が高く、向こう側が透けて見える状態の性質のことである。
【００３３】
また、本明細書において、「文字情報」とは、一般的に、シフトＪＩＳ、ユニコード又はＩＶＳ等の文字コ−ドにより変換可能な文字又は記号等を示す情報である。例えば、「文字情報」は、文字のみ又は記号のみを示してもよいし、文字及び記号の両方を示してもよい。また、文字情報は、上記文字または記号が一方向に移動するテロップであってもよい。
【００３４】
さらに、本明細書において、画像とは、動画像及び静止画像の一方又は両方のことを意味する。動画像としては、放送波映像等の１フレーム全体の画像であってもよく、動的なオブジェクト画像であってもよい。また、静止画像としては、例えば、写真やイラストなどを示す画像がある。
【００３５】
まず、本発明の実施の形態１に係る透明ディスプレイ装置１００の概略構成について、図１（ａ）及び図１（ｂ）を用いて説明する。図１（ａ）は、本発明の実施の形態１に係る透明ディスプレイ装置１００の概略構成を示す斜視図であり、図１（ｂ）は、同透明ディスプレイ装置１００の断面図である。
【００３６】
図１（ａ）及び図１（ｂ）に示すように、透明ディスプレイ装置１００は、画像や文字情報を両面表示することができる薄型の透明表示部１１を備える。透明表示部１１は、画像や文字情報等を表示する表示面として、第１表示面１１４ａと第２表示面１１４ｂとを有する。
【００３７】
本実施の形態において、透明表示部１１は表示パネル１４を備えており、第１表示面１１４ａと第２表示面１１４ｂとは、表示パネル１４の両側の面を構成しており、対向（対面）して配置されている。
【００３８】
また、表示パネル１４は、透明なフラット型パネルであり、内対面する同一画素において第１表示面１１４ａにも第２表示面１１４ｂにも画像や文字情報等が表示されていない場合は、向こう側が透けて見えるように構成されている。すなわち、画像や文字情報等が表示されていない場合、例えば、第１表示面１１４ａ側にいるユーザ（第１表示面１１４ａに向かい合うユーザ）は、第２表示面１１４ｂ側に存在する人又は背景を表示パネル１４を通して見ることができる。
【００３９】
次に、本発明の実施の形態１に係る透明ディスプレイ装置１００の詳細構成について、図２を用いて説明する。図２は、本発明の実施の形態１に係る透明ディスプレイ装置１００の構成を示すブロック図である。なお、図２では、説明のためにデータ供給部２４も示している。
【００４０】
図２に示すように、透明ディスプレイ装置１００は、透明表示部１１と、表示制御部１２と、信号処理部１３と、音声入力部３１と、変換処理部３２とを備える。さらに、透明ディスプレイ装置１００は、音声認識辞書ＤＢ４０と、表示位置指示部５０とを備える。
【００４１】
透明表示部１１は、画像や文字情報等を表示することができる表示パネル１４と、当該表示パネル１４を駆動するドライブ回路（不図示）とを有している。本実施の形態において、表示パネル１４は、透過型両面発光パネルからなる１つのフラットパネルディスプレイで構成されており、表示パネル１４の一方の表面（例えば、表示パネル１４の表側の面）が第１表示面１１４ａであり、表示パネル１４の他方の表面（例えば、表示パネル１４の裏側の面）が第２表示面１１４ｂである。
【００４２】
表示パネル１４としては、例えば、アクティブマトリクスタイプの有機ＥＬパネルを用いることができる。また、表示パネル１４は、例えば１秒間に６０フレームが表示されるように、ドライブ回路を用いて例えば６０Ｈｚの周波数又は１２０Ｈｚの周波数で駆動される。
【００４３】
なお、本実施の形態において、表示パネル１４としては、自発光型表示パネルである有機ＥＬパネルを用いたが、ＬＣＤ（Ｌｉｑｕｉｄ  Ｃｒｙｓｔａｌ  Ｄｉｓｐｌａｙ）パネル、ＰＤＰ（Ｐｌａｓｍ  Ｄｉｓｐｌａｙ  Ｐａｎｅｌ）、無機ＥＬを用いたパネル、又は、無機ＬＥＤを用いたパネルを用いてもよい。無機ＥＬとしては、例えば、ＺｎＳ、ＣｄＳ、ＺｎＳｅ(Ｇａドープ：Ｇａ２Ｓ３、Ｇａ２Ｓｅ３、ＧａＡｓ、Ａｌドープ：Ａｌ２Ｓ３、Ａｌ２Ｓｅ３、Ｉｎドープ：Ｉｎ２Ｓ３、Ｉｎ２Ｓｅ３)等がある。また、無機ＬＥＤとしては、Ｐ型とＮ型の不純物をドープしたＧａＮ半導体等がある。
【００４４】
表示制御部１２は、表示パネル１４における画像や文字情報の表示を制御するための表示パネル制御回路１５を備える。
【００４５】
信号処理部１３は、表示パネル１４に表示させる画像又は文字情報を表示制御部１２に供給する。また、信号処理部１３は、画像表示方向制御部１６と文字情報表示方向制御部１７とを有する。
【００４６】
画像表示方向制御部１６は、データ供給部２４から送信される画像（画像データ）を受信して、第１表示面１１４ａ又は第２表示面１１４ｂに表示する際の画像の表示方向を制御する。
【００４７】
文字情報表示方向制御部１７は、データ供給部２４から送信される文字情報（文字情報データ）を受信して、第１表示面１１４ａ又は第２表示面１１４ｂに表示する際の文字情報の表示方向を制御する。本実施の形態において、文字情報表示方向制御部１７は、第１表示面１１４ａ及び第２表示面１１４ｂのいずれにおいても、文字情報が左右正像で表示されるように制御する。
【００４８】
音声入力部３１は、音声の入力を受け付ける機能を有し、集音マイク等の集音機を用いることができる。本実施の形態において、音声入力部３１は、透明ディスプレイ装置１００を視聴するユーザ又は透明ディスプレイ装置１００を挟んで対話する複数のユーザ等の透明ディスプレイ装置１００の周辺にいるユーザが発する音声を取り込む。音声入力部３１によって取り込まれた音声は、変換処理部３２に入力される。
【００４９】
変換処理部３２は、入力された音声を適切な文字情報に変換し、この文字情報として変換された文字情報データを文字情報表示方向制御部１７に供給する。本実施の形態における変換処理部３２は、音声変換処理部として機能し、音声認識部３３、文字情報蓄積部３４及び文字情報変換部３５を有する。
【００５０】
音声認識部３３は、入力された音声に対して、音声認識辞書ＤＢ４０を参照しながらテキストデータ化を行う。音声認識辞書ＤＢ４０には、複数の種類の言語の単語データが格納されている。文字情報蓄積部３４は、テキストデータ化された音声を文字情報として蓄積する。文字情報変換部３５は、テキストデータ化された音声を所定の言語の文字情報に変換する。
【００５１】
表示位置指示部５０は、文字情報を透明表示部１１のどの位置に表示すべきかを示す表示位置信号を表示制御部１２に送信する。具体的に、表示位置指示部５０は、変換処理部３２によって変換された音声に基づく文字情報（第１文字情報）、あるいはデータ供給部２４から供給される文字情報（第２文字情報）を、表示パネル１４の第１表示面１１４ａ又は第２表示面１１４ｂのどの位置に表示するかを示す表示位置信号（座標データ）を表示パネル制御回路１５に入力する。音声に基づく文字情報の表示位置は、例えば、第１ユーザ４０１が指定する第１表示面１１４ａの指定位置、又は、第２ユーザ４０２が指定する第２表示面１１４ｂの指定位置とすることができる。
【００５２】
本実施の形態において、音声に基づく文字情報の表示位置は、透明ディスプレイ装置１００のユーザによって指示される。例えば、第１表示面１１４ａ側にいる第１ユーザは、第１ユーザ自身が発話した音声に基づく文字情報を、第１表示面１１４ａのどの位置に表示させるかを指示する。さらに、第２表示面１１４ｂ側にいる第２ユーザも、第１表示面１１４ａ側にいる第１ユーザが発話した音声に基づく文字情報を、第２表示面１１４ｂのどの位置に表示させるかを指示することができる。なお、表示位置の具体的な指示方法としては、タッチパネル機能を有する表示パネルを用いて、ユーザが表示面をタッチすることによって行うことができる。
【００５３】
このように構成される透明ディスプレイ装置１００は、データ供給部２４から文字情報や画像の供給を受ける。以下、データ供給部２４について説明する。
【００５４】
データ供給部２４は、表示パネル１４に表示させる画像又は文字情報を透明ディスプレイ装置１００の信号処理部１３に供給する。データ供給部２４は、例えば、放送波等の放送受信画像、カメラ等からの外部入力画像又は内部記憶画像などの画像、あるいは、当該画像に含まれる文字情報を表示制御部１２に供給する。
【００５５】
データ供給部２４は、例えば、アンテナ２５と、チューナ２６と、復調回路２７と、入力端子２８と、記憶装置２９と、画像選択回路３０とを有する。
【００５６】
アンテナ２５は、画像が重畳された放送波等である放送受信画像データを受信する。チューナ２６は、特定の周波数帯域の放送波を選択し、当該放送波を復調回路２７へ送信する。復調回路２７は、放送波を復調することにより放送受信画像を取得し、当該放送受信画像を出力する。入力端子２８は、外部から画像を得るための端子である。記憶装置２９は、画像としてのコンテンツデータを記憶する。
【００５７】
また、画像選択回路３０は、放送受信画像、外部入力画像及び内部記憶画像のいずれかを選択し、選択した動画や静止画等の画像及びこれに含まれる文字情報をそれぞれ画像表示方向制御部１６及び文字情報表示方向制御部１７に供給する。
【００５８】
なお、画像選択回路３０は、画像とともに当該画像の座標データも画像表示方向制御部１６へ送信する。当該画像の座標データは、表示パネル１４（第１表示面１１４ａ又は第２表示面１１４ｂ）において、当該画像を表示する位置を示すデータである。また、画像選択回路３０は、文字情報とともに当該文字情報の座標データも文字情報表示方向制御部１７へ送信する。当該文字情報の座標データは、表示パネル１４（第１表示面１１４ａ又は第２表示面１１４ｂ）において、当該文字情報を表示する位置を示すデータである。
【００５９】
次に、本実施の形態の透明ディスプレイ装置１００における表示パネル１４の構成について、図３〜図５を用いてさらに詳細に説明する。
【００６０】
図３は、本実施の形態の透明ディスプレイ装置１００における表示パネル１４の平面構成を示す図である。図４は、本実施の形態における表示パネル１４の上面図であり、１つの画素部ＰＸ１０の構成を示している。図５は、本実施の形態における表示パネル１４の断面図であり、１つの画素ＰＸ１０のサブ画素ＰＸにおける断面構成を示している。
【００６１】
図３に示すように、表示パネル１４は、複数の画素ＰＸ１０を含む。複数の画素部ＰＸ１０は、マトリクス状（行列状）に配列される。複数の画素ＰＸ１０の各々は、外部から供給される信号に応じて所望の色の光を放出する。
【００６２】
図４に示すように、１つの画素部ＰＸ１０は、３つのサブ画素ＰＸＲ、ＰＸＧ、ＰＸＢによって構成される。サブ画素ＰＸＲは、赤色の光を発する赤色画素であり、サブ画素ＰＸＧは、緑色の光を発する緑色画素であり、サブ画素ＰＸＢは、青色の光を発する青色画素である。なお、図４において、ハッチングしている領域は、各サブ画素において光が放出される領域を示している。
【００６３】
図５に示すように、各サブ画素ＰＸＲ、ＰＸＧ、ＰＸＢ（ＰＸ）は、ガラス基板Ｐ１１と、Ａｌ配線Ｐ１２と、アノード電極Ｐ１３と、発光層Ｐ１４と、カソード電極Ｐ１５と、保護層Ｐ１６と、透明シールＰ１７とを含む。
【００６４】
ガラス基板Ｐ１１上には、Ａｌ配線Ｐ１２が形成される。Ａｌ配線１２の上方には、アノード電極Ｐ１３が積層される。アノード電極Ｐ１３は、ＩＴＯ（Ｉｎｄｉｕｍ  Ｔｉｎ  Ｏｘｉｄｅ）又はＩＺＯ（Ｉｎｄｉｕｍ  Ｚｉｎｃ  Ｏｘｉｄｅ）等からなる透明電極である。アノード電極Ｐ１３上には発光層Ｐ１４が積層される。発光層Ｐ１４は、光を発する有機ＥＬ層である。発光層Ｐ１４の上には、光透過性を有するカソード電極Ｐ１５が積層される。カソード電極Ｐ１５もアノード電極Ｐ１３と同様に、ＩＴＯ等からなる透明電極で構成することができる。カソード電極Ｐ１５上には、透明な保護層Ｐ１６が積層される。そして、最上部には透明シールＰ１７が形成される。カソード電極Ｐ１５側の保護層Ｐ１６は、発光層Ｐ１４を劣化させる水分の浸入を防ぐものである。なお、透明シールＰ１７としてはガラス基板を用いることができる。
【００６５】
このような構造の表示パネル１４において、アノード電極Ｐ１３とカソード電極Ｐ１５とに所定の電圧を印加すると、発光層Ｐ１４に所定の電流が供給され、発光層Ｐ１４自体が発光する。発光層Ｐ１４から放出された光は、カソード電極Ｐ１５を透過して上部方向に進行し、透明シールＰ１７を透過して外部に放出される。一方、発光層Ｐ１４の光は、下部側のアノード電極Ｐ１３を透過して下部方向に進行し、ガラス基板Ｐ１１を透過して外部に放出される。このようにして、発光層１４が発する光は、アノード電極Ｐ１３側及びカソード電極Ｐ１５側の両面から放出される。
【００６６】
なお、本実施の形態では、透明シールＰ１７側の面（図５の最上面）が第１表示面１１４ａであり、ガラス基板Ｐ１１側の面（図５の最下面）が第２表示面１１４ｂである。また、サブ画素ＰＸにおいて、透明シールＰ１７方向に進む光の光量は、ガラス基板Ｐ１１方向に進む光の光量より大きい。すなわち、図１（ｂ）に示される表示パネル１４において、第１表示面１１４ａを通過する光の光量は、第２表示面１１４ｂを通過する光の光量より大きい。
【００６７】
次に、本発明の実施の形態１に係る透明ディスプレイ装置１００の表示動作について、図２を参照しながら、図６（ａ）及び図６（ｂ）を用いて説明する。図６（ａ）は、本発明の実施の形態１に係る透明ディスプレイ装置１００を第１表示面１１４ａ側から見たときの表示例を示す図である。図６（ｂ）は、同透明ディスプレイ装置１００を第２表示面１１４ｂ側から見たときの表示例を示す図である。
【００６８】
なお、本実施の形態では、図６（ａ）及び図６（ｂ）に示すように、透明ディスプレイ装置１００を挟んで対峙する二人のユーザが、透明ディスプレイ装置１００に表示される画像及び文字情報を同時に見ながら対話する場合について説明する。
【００６９】
図６（ａ）に示すように、第１表示面１１４ａ側にいる第１ユーザ４０１が発話して音声（第１音声）を発すると、当該音声は透明ディスプレイ装置１００に取り込まれる。例えば、図６（ａ）に示すように、第１ユーザ４０１が、第１表示面１１４ａに表示されている猫のオブジェクト画像３０２を見て「ネコ」と発話したとすると、透明ディスプレイ装置１００は、音声入力部３１によって第１ユーザ４０１が発した「ネコ」という音声を取り込む。
【００７０】
取り込まれた音声は、変換処理部３２によって文字情報に変換される。具体的に、音声入力部３１から送信される音声は、音声認識部３３によって音声認識辞書ＤＢ４０を参照しながら特定の文字情報であることが認識されてテキストデータ化され、文字情報変換部３５によって文字情報に変換される。本実施の形態において、取り込まれた音声は、カタカナの「ネコ」という文字情報に変換される。なお、変換された文字情報は、文字情報蓄積部３４に蓄積される。また、変換された文字情報は、信号処理部１３に供給される。なお、本実施の形態では、カタカナ文字に変換したが、漢字文字の「猫」、平仮名文字の「ねこ」又は英語の「ＣＡＴ」等の文字に変換しても構わない。
【００７１】
変換された文字情報は、文字情報表示方向制御部１７によって第２表示面１１４ｂに左右正像で表示されるように制御される。文字情報表示方向制御部１７から送信される文字情報は、表示パネル制御回路１５によって、第２表示面１１４ｂにおいて左右正像で表示される。本実施の形態では、図６（ｂ）に示すように、「ネコ」という文字情報３０６ｂが第２表示面１１４ｂに左右正像で表示される。これにより、第２表示面１１４ｂ側にいる第２ユーザ４０２は、第１ユーザ４０１が発した「ネコ」という文字情報３０６ｂを左右正像で視認することができる。
【００７２】
また、第２表示面１１４ｂに表示させる文字情報３０６ｂの表示位置は、表示位置指示部５０によって指定される。例えば、第１ユーザ４０１又は第２ユーザ４０２のいずれかが画面（第１表示面１１４ａ又は第２表示面１１４ｂ）上に触れるなどの方法により、画面のどこに文字情報を表示させるかを指示することができる。
【００７３】
なお、本実施の形態では、表示位置指示部５０によって文字情報の表示位置を特定したが、表示位置指示部５０を用いずに、予め任意の位置に決められた場所（例えば、表示面の枠の近くなど）に表示してもよい。
【００７４】
なお、音声入力部３１によって次の音声が検知された場合、今まで表示していた「ネコ」の文字情報３０６ｂを消去する。
【００７５】
以上、本発明の実施の形態１に係る透明ディスプレイ装置１００によれば、透明ディスプレイ装置１００を挟んで対峙する二人のユーザのうち少なくともいずれか一方のユーザが発話した音声を文字情報に変換して、当該変換した文字情報を他方のユーザ側の表示面に左右正像で表示することができる。
【００７６】
これにより、ユーザ同士が透明ディスプレイ装置１００を挟んで画像を視聴しながら、ユーザ間の対話が文字情報として相手側の表示面に左右正像で表示されるので、ユーザ間の情報共有を容易に図ることができる。
【００７７】
特に、映画館のチケット売り場でチケットを買う場合、あるいは、病院などの細菌を隔離する部屋の中にいる人とその部屋を外側から見る人との間を隔てなければならない場合など、これらの場合において、それぞれのユーザが表示面に表示された画像を同時に視聴しながら相手の音声を文字情報として同時に把握することができる。従って、周囲の環境が騒々しい場合など相手方の発話内容の理解が困難な場合であっても、発話者の発話内容が視覚的情報として相手方に正確に伝えることができるので、発話者の発話内容を聞くほうは発話者の発話内容を容易にかつ正確に理解することができる。
【００７８】
なお、本実施の形態において、表示パネル１４に表示する音声に基づく文字情報は、オブジェクト画像３０２に対応付けられた文字情報としたが、これに限らない。すなわち、本実施の形態では、猫のオブジェクト画像３０２に対応するように、文字情報３０６ｂとして「ネコ」のカタカナ文字を表示させたが、オブジェクト画像３０２とは無関係のユーザが発する音声を取り込んで、それを文字情報３０６ｂとして表示させても構わない。
【００７９】
また、本実施の形態において、データ供給部２４から供給されるオブジェクト画像３０２は、第１ユーザ４０１側の第１表示面１１４ａでは左右正像で表示されており、第２ユーザ４０２側の第２表示面１１４ｂでは左右逆像で表示されているが、これに限らない。
【００８０】
例えば、オブジェクト画像３０２は、第１ユーザ４０１側の第１表示面１１４ａ及び第２ユーザ側の第２表示面１１４ｂのいずれの表示面においても左右正像で表示しても構わない。この場合、図２に示すように、データ供給部２４から供給される画像は、画像表示方向制御部１６によって、第１表示面１１４ａ及び第２表示面１１４ｂのいずれの表示面においても左右正像で表示されるように制御される。
【００８１】
また、本実施の形態では、図６（ｂ）に示すように、音声に基づく文字情報３０６ｂは第２表示面１１４ｂに表示される例を示したが、これに限らない。
【００８２】
例えば、図７（ａ）及び図７（ｂ）に示すように、音声に基づく文字情報３０６ｂを第２表示面１１４ｂに左右正像で表示させるとともに、第１表示面１１４ａにおいても音声に基づく文字情報３０６ｂを左右正像で表示させても構わない。これにより、発話者である第１ユーザ４０１自身も発話した自分の音声を文字情報として視認することができるので、第２ユーザ４０２側の第２表示面１１４ｂに正しく発話内容が表示されているかを容易に把握することができる。
【００８３】
これにより、透明ディスプレイ装置１００を用いて対話するユーザ同士の情報共有を一層容易にすることができる。
【００８４】
また、本実施の形態では、表示パネル１４に表示する文字情報は、音声に基づく文字情報（第１文字情報）を例にとって説明したが、これに加えて、データ供給部２４から透明ディスプレイ装置１００に供給される文字情報（第２文字情報）についても、表示パネル１４の第１表示面１１４ａ及び第２表示面１１４ｂにおいて左右正像で表示するように構成しても構わない。
【００８５】
例えば、データ供給部２４から供給される文字情報が漢字文字の「動物」であるとすると、図８（ａ）及び図８（ｂ）に示すように、第１ユーザ４０１側の第１表示面１１４ａに「動物」という文字情報３０１ａが左右正像で表示され、第２ユーザ４０２側の第２表示面１１４ｂにも「動物」という文字情報３０１ｂが左右正像で表示される。この場合、図２に示すように、データ供給部２４から供給される文字情報は、文字情報表示方向制御部１７によって、第１表示面１１４ａ及び第２表示面１１４ｂのいずれの表示面においても左右正像で表示されるように制御される。
【００８６】
次に、本実施の形態に係る透明ディスプレイ装置１００の表示動作の一例について、図２、図８（ａ）及び図８（ｂ）を参照しながら、さらに詳細に説明する。
【００８７】
例えば、図２に示すように、変換処理部３２からは、音声に基づく文字情報（第１文字情報）が文字情報表示方向制御部１７に送信されるとする。また、表示位置指示部５０からは、当該音声に基づく文字情報の表示位置を示す文字情報座標データ（第１文字情報座標データ）が表示パネル制御回路１５に送信されるとする。さらに、データ供給部２４からは、オブジェクト画像及び当該オブジェクト画像の表示位置を示す画像座標データが画像表示方向制御部１６に送信されるとともに、オブジェクト画像に含まれる文字情報（第２文字情報）及び当該文字情報の表示位置を示す文字情報座標データ（第２文字情報座標データ）が文字情報表示方向制御部１７に送信されるとする。
【００８８】
この場合、画像表示方向制御部１６は、データ供給部２４から送信されるオブジェクト画像及び画像座標データを受信し、当該オブジェクト画像及び画像座標データを表示パネル制御回路１５に送信する。
【００８９】
このとき、表示パネル制御回路１５は、図８（ａ）及び図８（ｂ）に示すように、画像座標データに示される第１表示面１１４ａの表示位置にオブジェクト画像３０２を表示するように表示パネル１４を制御する。これにより、第１表示面１１４ａにオブジェクト画像３０２が表示される。この場合、表示パネル１４は透明であるので、第１表示面１１４ａに表示されたオブジェクト画像３０２は、表示パネル１４を透過して、第２表示面１１４ｂにも表示される。
【００９０】
以上のように、図８（ａ）に示すように、第１表示面１１４ａにはオブジェクト画像３０２が左右正像で表示される。そのため、第１表示面１１４ａを見る第１ユーザ４０１は、オブジェクト画像３０２を左右正像で見ることができる。すなわち、第１ユーザ４０１は、オブジェクト画像３０２を正しい向きで見ることができる。
【００９１】
一方、図８（ｂ）に示すように、第２表示面１１４ｂにはオブジェクト画像３０２が左右逆像で表示される。そのため、第２表示面１１４ｂを見る第２ユーザ４０２は、オブジェクト画像３０２を左右逆像で見ることになる。すなわち、第２ユーザ４０２は、左右反転したオブジェクト画像３０２を見ることになる。
【００９２】
このように、データ供給部２４から供給されるオブジェクト画像は、第１表示面１１４ａでは左右正像で表示され、第２表示面１１４ｂでは左右逆像で表示される。すなわち、オブジェクト画像３０２は、表示パネル１４の同位置において、透明フィルムを裏返して見たときの像のように、表示パネル１４の表側と裏側とで逆像となる。
【００９３】
なお、上述のようにオブジェクト画像についても文字情報と同様に第１表示面１１４ａ及び第２表示面１１４ｂのいずれにおいても左右正像となるように表示することもできるが、オブジェクト画像については第１ユーザ４０１と第２ユーザ４０２とがオブジェクト画像を指差し合って情報を共有することができ、また、オブジェクト画像は何の画像であるかを認識できることが多いので、本実施の形態のように第２ユーザ４０２が左右逆像のオブジェクト画像３０２を見たとしても情報の共有化に対する影響はほとんどないと考えられる。
【００９４】
また、文字情報表示方向制御部１７は、データ供給部２４から送信される第２文字情報及び第２文字情報座標データを受信し、当該第２文字情報及び第２文字情報座標データを表示パネル制御回路１５に送信する。さらに、文字情報表示方向制御部１７は、音声に基づく第１文字情報を表示パネル制御回路１５に送信する。このとき、本実施の形態では、表示位置指示部５０によって、第１文字情報を表示する位置を示す第１文字情報座標データが表示パネル制御回路１５に送信される。
【００９５】
この場合、文字情報表示方向制御部１７は、第１文字情報及び第２文字情報のいずれもが第１表示面１１４ａ及び第２表示面１１４ｂにおいて左右正像で表示されるように、第１文字情報及び第２文字情報の向きを制御する。
【００９６】
具体的には、表示パネル制御回路１５は、図８（ｂ）に示すように、第１文字情報座標データに示される第２表示面１１４ｂの位置に、音声に基づく文字情報（第１文字情報）である「ネコ」という文字情報３０６ｂを表示するように表示パネル１４を制御する。これにより、第２表示面１１４ｂに「ネコ」というカタカナ文字の文字情報３０６ｂが表示される。さらに、表示パネル制御回路１５は、図８（ａ）及び図８（ｂ）に示すように、第２文字情報座標データに示される第１表示面１１４ａ及び第２表示面１１４ｂの位置に、データ供給部２４からの文字情報（第２文字情報）である「動物」という文字情報３０１ａ及び３０１ｂを左右正像で表示するように表示パネル１４を制御する。これにより、第１表示面１１４ａ及び第２表示面１１４ｂに、「動物」という漢字文字の文字情報３０１ａ及び３０１ｂが左右正像で表示される。
【００９７】
以上のように、図８（ａ）に示すように、データ供給部２４から供給される文字情報についても、第１表示面１１４ａには文字情報３０１ａとして左右正像で表示される。そのため、第１表示面１１４ａを見る第１ユーザ４０１は、文字情報３０１ａを左右正像で見ることができる。
【００９８】
一方、図８（ｂ）に示すように、音声に基づく文字情報及びデータ供給部２４から供給される文字情報は、第２表示面１１４ｂにおいても、文字情報３０１ｂ及び３０６ｂとして左右正像で表示される。そのため、第２表示面１１４ｂを見る第２ユーザ４０２は、文字情報３０１ｂ及び３０６ｂを左右正像で見ることになる。
【００９９】
ここで、データ供給部２４から供給される第２文字情報である「動物」という文字情報３０１ａ及び３０１ｂの表示処理について、具体的に説明する。本実施の形態では、「動物」という文字情報３０１ａ及び３０１ｂは、文字情報表示方向制御部１７によって時分割表示処理が行われる。例えば、文字情報表示方向制御部１７は、表示パネル制御回路１５等を利用して、Ｙ軸方向において一致する第１表示面１１４ａの領域及び第２表示面１１４ｂの領域において所定期間毎に「動物」という同一の文字情報３０１ａ及び３０１ｂを左右正像で表示させるための時分割表示処理を行う。
【０１００】
この時分割表示処理では、まず、文字情報表示方向制御部１７は、「動物」という文字情報について左右反転させた文字情報を生成する。そして、文字情報表示方向制御部１７は、第１表示面１１４ａに表示させる文字情報３０１ａ、第２表示面１１４ｂに表示させる左右反転させた文字情報である文字情報３０１ｂ及び時分割表示指示を第１表示パネル制御回路１５ａへ送信する。
【０１０１】
ここで、時分割表示指示は、所定期間毎に、表示パネル１４において、文字情報３０１ａと文字情報３０１ｂとを交互に表示させるための指示である。所定期間は、例えば、１秒とすることができる。
【０１０２】
表示パネル制御回路１５は、時分割表示指示に従って、表示パネル１４における第２文字情報座標データに示される特定画素において、文字情報３０１ａと文字情報３０１ｂとが所定期間毎に第１表示面１１４ａと第２表示面１１４ｂとに交互に表示されるように、表示パネル１４を制御する。なお、表示パネル１４は透明であるため、第１表示面１１４ａに文字情報３０１ａが表示される時は第２表示面１１４ｂに文字情報３０１ａが左右逆像で見え、第２表示面１１４ｂに文字情報３０１ｂが表示される時は第１表示面１１４ａに文字情報３０１ｂが左右逆像で見える。
【０１０３】
以下においては、第１表示面１１４ａに文字情報３０１ａが左右正像で表示される期間を第１所定期間とし、第２表示面１１４ｂに文字情報３０１ｂが左右正像で表示される期間を第２所定期間とする。
【０１０４】
上記処理により、図８（ａ）に示すように、第１所定期間においては、第１表示面１１４ａには、文字情報３０１ａが左右正像で表示される。そのため、第１表示面１１４ａを見る第１ユーザ４０１は、第１所定期間において文字情報３０１ａを左右正像で見ることができる。
【０１０５】
また、図８（ｂ）に示すように、第２所定期間においては、第２表示面１１４ｂには、文字情報３０１ｂが左右正像で表示される。そのため、第２表示面１１４ｂを見る第２ユーザ４０２は、第２所定期間においては文字情報３０１ｂを左右正像で見ることができる。
【０１０６】
以上のように、データ供給部２４から供給される文字情報を、第１表示面１１４ａ及び第２表示面１１４ｂの各々において左右正像で表示することにより、データ供給部２４から供給される文字情報についても視認性を向上させることができる。これにより、透明ディスプレイ装置１００を挟んで対話する複数のユーザは、相手の指差し又は表情等を確認しながら会話することができる。このように、文字情報の視認性が向上し、画像における互いのユーザの指差し等の動作が一致することで、複数のユーザ間の情報共有が容易となる。
【０１０７】
なお、表示パネル１４の第１表示面１１４ａ及び第２表示面１１４ｂの一方又は両方にタッチパネル機能を備える構成とし、表示パネル１４へのタッチ操作によって、ユーザ自身で画像及び文字情報の左右正像と左右逆像とを切り替えるようにしてもよい。また、タッチ操作によって、画像及び文字情報の移動、回転、拡大、縮小、コピー又は消去などの編集操作を行えるようにしてもよい。このような切り替え操作又は編集操作は、タッチパネル機能に限られず、表示パネル１４の端部にスイッチなどの何らかのセンサを設けることによって行えるようにしても構わない。
【０１０８】
なお、図示しないが、音声に基づく第１文字情報である「ネコ」という文字情報についても、上記の時分割表示処理を行うことができる。
【０１０９】
（実施の形態１の変形例１）
次に、本発明の実施の形態１の変形例１に係る透明ディスプレイ装置について、図９（ａ）及び図９（ｂ）を用いて説明する。図９（ａ）及び図９（ｂ）は、本発明の実施の形態１の変形例１に係る透明ディスプレイ装置における表示方法を説明するための図である。図９（ａ）は第１文字情報又は第２文字情報の１つの表示例を示しており、図９（ｂ）は、第１文字情報又は第２文字情報の他の表示例を示している。なお、本変形例と上述の実施の形態１とは、第１文字情報及び第２文字情報の表示方法が異なる。
【０１１０】
図９（ａ）に示すように、本変形例において、透明ディスプレイ装置１００は、列方向に隣接する２つの画素を１つの画素として、第１文字情報（音声に基づく文字情報）や第２文字情報（データ供給部２４から供給される文字情報）の文字情報を表示する。
【０１１１】
この場合、表示パネル制御回路１５によって、「Ａ１」の画素には左右正像の文字情報が表示パネル１４に表示され、「Ａ２」の画素には左右逆像の文字情報が表示パネル１４に表示される。
【０１１２】
図９（ａ）の表示方法は、表示される文字情報の垂直方向の解像度は低下するものの、実施の形態１のように、文字情報が明確に左右逆像で表示されることを防ぐことができる。
【０１１３】
また、図９（ｂ）に示すように、行方向及び列方向に隣接する４つの画素を１つの画素として第２文字情報を表示してもよい。この場合、「Ａ１」の対角画素には左右正像の第２文字情報を表示し、「Ａ２」の対角画素には左右逆像の第２文字情報を表示するよう表示パネル１４を制御する。
【０１１４】
図９（ｂ）の表示方法は、表示される第２文字情報の水平方向及び垂直方向の解像度は低下するものの、実施の形態１のように、文字情報が明確に左右逆像で表示されることを防ぐことができる。
【０１１５】
以上のような表示処理が行われることにより、実施の形態１より、文字情報の視認性を向上させることができる。なお、高精細のパネルを用いれば、人間の目には、表示面に表示される第２文字情報の一部に左右逆像の部分が含まれていることは認識しにくくなる。
【０１１６】
（実施の形態１の変形例２）
次に、本発明の実施の形態１の変形例２に係る透明ディスプレイ装置１００Ａについて、図１０を用いて説明する。図１０は、本発明の実施の形態１の変形例２に係る透明ディスプレイ装置１００Ａの断面図である。
【０１１７】
本変形例と上述の実施の形態１とは、第２文字情報の表示方法が異なり、図１０に示すように、透明ディスプレイ装置１００Ａは、図１（ｂ）の透明ディスプレイ装置１００と比較して、透明表示部１１の代わりに透明表示部１１Ａを備える。
【０１１８】
透明表示部１１Ａは、表示パネル１４Ａを有する。表示パネル１４Ａは、図１（ｂ）の表示パネル１４と、第１液晶シャッタパネルＳＨ１と、第２液晶シャッタパネルＳＨ２とを含む。
【０１１９】
第１液晶シャッタパネルＳＨ１は、表示パネル１４の第１表示面１１４ａを覆うように設けられる。第１液晶シャッタパネルＳＨ１における第１表示面１１４ａ側の面とは反対側の面は、シャッタ表示面１１５ａである。
【０１２０】
第１液晶シャッタパネルＳＨ１は、表示パネル制御回路１５の制御により、第１表示面１１４ａを構成する複数の画素の各々に対応する発光層Ｐ１４からの光を遮断するか否かを制御する。
【０１２１】
第２液晶シャッタパネルＳＨ２は、表示パネル１４の第２表示面１１４ｂを覆うように設けられる。第２液晶シャッタパネルＳＨ２における第２表示面１１４ｂ側の面とは反対側の面は、シャッタ表示面１１５ｂである。
【０１２２】
第２液晶シャッタパネルＳＨ２は、表示パネル制御回路１５の制御により、第２表示面１１４ｂを構成する複数の画素の各々に対応する発光層Ｐ１４からの光を遮断するか否かを制御する。
【０１２３】
次に、本発明の実施の形態１の変形例２に係る透明ディスプレイ装置１００Ａの表示動作（文字情報の表示方法）について、図１１を用いて説明する。図１１は、本変形例における液晶シャッタパネルの駆動方法を説明するための図であり、図１１（ａ）〜図１１（ｃ）は、本変形例に係る透明ディスプレイ装置における１つの画素の断面図を示し、図１１（ｄ）は、信号出力波形を示している。
【０１２４】
なお、図１１（ａ）は、第１液晶シャッタパネル及び第２液晶シャッタパネルの画素がいずれも透過状態であることを示しており、図１１（ｂ）は、第１液晶シャッタパネルの画素が透過状態あり、かつ、第２液晶シャッタパネルの画素が不透過状態であることを示しており、図１１（ｃ）は、第１液晶シャッタパネルの画素が不透過状態あり、かつ、第２液晶シャッタパネルの画素が透過状態であることを示している。
【０１２５】
本変形例において、表示パネル１４、第１液晶シャッタパネルＳＨ１及び第２液晶シャッタパネルＳＨ２は、一例として、１２０Ｈｚの周波数で駆動するとする。また、データ供給部２４は、一例として、オブジェクト画像及びその座標データを画像表示方向制御部１６へ送信するとする。また、変換処理部３２は、一例として、音声に基づく第１文字情報及びその座標データを、文字情報表示方向制御部１７へ送信するとする。
【０１２６】
この場合、オブジェクト画像に対しては実施の形態１と同様の処理が行われ、オブジェクト画像は、通常通りの表示方法によって表示パネル１４に表示されており、第１表示面１１４ａには左右正像で表示され、第２表示面１１４ｂには左右逆像で表示される。
【０１２７】
本変形例において、表示パネル制御回路１５は、表示パネル１４にオブジェクト画像が表示されている期間、オブジェクト画像を構成する各画素に対応する第１液晶シャッタパネルＳＨ１及び第２液晶シャッタパネルＳＨ２の一部（画素）が発光層Ｐ１４からの光を透過するように、第１液晶シャッタパネルＳＨ１及び第２液晶シャッタパネルＳＨ２を制御する（図１１（ａ））。
【０１２８】
これにより、実施の形態１と同様、シャッタ表示面１１５ａを通して左右正像のオブジェクト画像を見ることができるとともに、シャッタ表示面１１５ｂを通して左右逆像のオブジェクト画像を見ることができる。
【０１２９】
また、本変形例において、文字情報表示方向制御部１７は、変換処理部３２から送信される第１文字情報及びその座標データを用いて時分割表示処理を行う。
【０１３０】
ここで、図１１（ｄ）において、信号ＳＧ１は、第１表示面１１４ａにおいてのみ第１文字情報を左右正像で表示するための波形を示し、信号ＳＧ２のＨレベルの部分は、第２表示面１１４ｂにおいてのみ第１文字情報を左右正像で表示するための波形を示している。
【０１３１】
本変形例では、信号ＳＧ１及び信号ＳＧ２によって、表示パネル制御回路１５は、表示パネル１４における第１文字情報の表示制御、並びに、第１液晶シャッタパネルＳＨ１及び第２液晶シャッタパネルＳＨ２のシャッタ動作を制御する。
【０１３２】
具体的には、図１１（ｄ）の時刻ｔ１から時刻ｔ２までの期間Ｔ１１（例えば１／１２０秒）では、信号ＳＧ１によって、表示パネル１４において第１文字情報を構成する各画素に対応する発光層Ｐ４が発光する。このとき、信号ＳＧ１によって、第１液晶シャッタパネルＳＨ１は動作せず、第１文字情報を構成する各画素に対応する発光層Ｐ１４からの光は第１液晶シャッタパネルＳＨ１を透過する（図１１（ｂ））。一方、信号ＳＧ１によって、第２液晶シャッタパネルＳＨ２が動作して、第１文字情報を構成する各画素に対応する第２液晶シャッタパネルＳＨ２の一部（画素）は不透過状態となり、第１文字情報を構成する各画素に対応する発光層Ｐ１４からの光は第２液晶シャッタパネルＳＨ２によって遮断される（図１１（ｂ））。
【０１３３】
これにより、期間Ｔ１１において、シャッタ表示面１１５ｂを通して左右逆像の第１文字情報が視認されることを防ぐことができる。これにより、シャッタ表示面１１５ａ側にいるユーザは第１表示面１１４ａに左右正像のみで表示される第２文字情報を見ることができる。
【０１３４】
また、図１１（ｄ）の時刻ｔ２から時刻ｔ３までの期間Ｔ１２（例えば１／１２０秒）では、信号ＳＧ２によって、表示パネル１４において第１文字情報を構成する各画素に対応する発光層Ｐ４が発光する。このとき、信号ＳＧ２によって、第２液晶シャッタパネルＳＨ２は動作せず、第１文字情報を構成する各画素に対応する発光層Ｐ１４からの光は第２液晶シャッタパネルＳＨ２を透過する（図１１（ｃ））。一方、信号ＳＧ２によって、第１液晶シャッタパネルＳＨ１が動作して、第１文字情報を構成する各画素に対応する第１液晶シャッタパネルＳＨ１の一部（画素）は不透過状態となり、第１文字情報を構成する各画素に対応する発光層Ｐ１４からの光は第１液晶シャッタパネルＳＨ１によって遮断される（図１１（ｃ））。
【０１３５】
これにより、期間Ｔ１２において、シャッタ表示面１１５ａを通して左右逆像の第１文字情報が視認されることを防ぐことができる。これにより、シャッタ表示面１１５ｂ側にいるユーザは第２表示面１１４ｂに左右正像のみで表示される第１文字情報を見ることができる。
【０１３６】
以上説明したように、本変形例によれば、シャッタ表示面１１５ａ、１１５ｂを通して見ることができる第１文字情報は、左右正像のみで表示される文字情報とすることができるので、実施の形態１よりも、第１文字情報の視認性を向上させることができる。
【０１３７】
なお、本変形例では、第１文字情報について説明したが、データ供給部２４から供給される第２文字情報についても同様の処理を行うことができる。
【０１３８】
（実施の形態２）
次に、本発明の実施の形態２に係る透明ディスプレイ装置２００について、図１２及び図１３を用いて説明する。図１２は、本発明の実施の形態２に係る透明ディスプレイ装置２００の構成を示すブロック図である。図１３（ａ）は、本発明の実施の形態２に係る透明ディスプレイ装置２００を第１表示面１１４ａ側から見たときの表示例を示す図である。図１３（ｂ）は、同透明ディスプレイ装置２００を第２表示面１１４ｂ側から見たときの表示例を示す図である。
【０１３９】
図１２に示すように、本実施の形態に係る透明ディスプレイ装置２００では、実施の形態１に係る透明ディスプレイ装置１００に対して、変換処理部３２が、さらに言語判定部３６を有する。言語判定部３６は、音声入力部３１によって取り込まれた音声の言語の種類を判定する機能を有し、透明ディスプレイ装置２００のユーザの発話状況に基づいて当該ユーザが主に使用する言語の種類を判定する。言語判定部３６による言語の種類の判定は、ユーザが話す単語の割合等から行うことができる。
【０１４０】
例えば、一人のユーザが発する音声が、「英単語」のみであると音声認識部３３によって認識された場合、言語判定部３６によって、そのユーザは英語を使用するユーザであると判定される。また、一人のユーザが発する音声に複数の言語が含まれるような場合は、割合の多い単語の言語が主に使用する言語であると判定される。例えば、一人のユーザの発話言語の単語が「英単語」、「英単語」、「日本語単語」及び「英単語」である場合は、主に英語を使用するユーザであると判定される。
【０１４１】
本実施の形態は、図１３（ａ）及び図１３（ｂ）に示すように、透明ディスプレイ装置２００を挟む二人のユーザが異なる言語を話す場合である。例えば、第１表示面１１４ａ側にいる第１ユーザ４０１Ｊが主に日本語を話すユーザであり、第２表示面１１４ｂ側にいる第２ユーザ４０２Ｅが主に英語を話すユーザであるとする。
【０１４２】
本実施の形態では、図１３（ａ）に示すように、第２ユーザ４０２Ｅの発話状況に基づいて、第２ユーザ４０２Ｅが主に使用する言語の種類が判定される。例えば、第２ユーザ４０２Ｅが「Ｈｉ」等の英語を用いて発話しているとすると、音声入力部３１によって第２ユーザ４０２Ｅが発する音声（第２音声）が取り込まれて、第２ユーザ４０２Ｅの音声に基づき、音声認識部３３及び言語判定部３６によって、第２ユーザ４０２Ｅが主に使用する言語の種類が英語であると判定される。
【０１４３】
そして、実施の形態１と同様に、第１表示面１１４ａ側にいる第１ユーザ４０１Ｊが発話して音声（第１音声）を発すると、音声入力部３１によって第１ユーザ４０１Ｊの音声が取り込まれる。
【０１４４】
この場合、第１ユーザ４０１Ｊが発した音声は、変換処理部３２によって文字情報に変換されて、第２ユーザ４０２Ｅ側の第２表示面１１４ｂに左右正像で表示されるが、本実施の形態では、第２ユーザ４０２Ｅが使用する言語の種類に合わせた文字情報に変換されて左右正像で表示される。
【０１４５】
例えば、図１３（ａ）に示すように、第１ユーザ４０１Ｊが、第１表示面１１４ａに表示されている猫のオブジェクト画像３０２を見て「ネコ」と発話したとすると、音声入力部３１によって第１ユーザ４０１Ｊが発した「ネコ」という音声が取り込まれる。この場合、第２ユーザ４０２Ｅが使用する言語は発話状況から英語であると判定されているので、変換処理部３２において「ネコ」が英文字の「ＣＡＴ」となるように変換されて、第２表示面１１４ｂには、図１３（ｂ）に示すように、「ＣＡＴ」の文字情報３０６ｂが左右正像で表示される。
【０１４６】
なお、本実施の形態では、第１ユーザ４０１Ｊが発した音声を第２ユーザ４０２Ｅが使用する言語の文字情報に変換して第２ユーザ４０２Ｅ側の第２表示面１１４ｂに左右正像で表示したが、第２ユーザ４０２Ｅが発した音声を第１ユーザ４０１Ｊが使用する言語の文字情報に変換して第１ユーザ４０１Ｊ側の第１表示面１１４ａに左右正像で表示しても構わない。例えば、第２ユーザ４０２Ｅが「ＣＡＴ」と発話した場合、第１ユーザ４０１Ｊが使用する言語である日本語に変換して、第１表示面１１４ａに、「ネコ」、「ねこ」又は「猫」の文字情報を左右正像で表示することができる。
【０１４７】
また、言語変換された文字情報は、実施の形態１と同様に、表示位置指示部５０によってユーザが指示する表示位置に表示することができる。
【０１４８】
以上、本発明の実施の形態２に係る透明ディスプレイ装置２００によれば、二人のユーザのうち一方のユーザが発した音声を自動的に他方のユーザの使用言語に適合した文字情報に言語変換して当該他方のユーザ側の表示面に左右正像で表示することができる。これにより、言語の異なる複数のユーザ同士の対話であっても相手の発話内容を容易に理解することができるので、情報共有を容易に図ることができる。
【０１４９】
なお、本実施の形態では、図１３（ｂ）に示すように、音声に基づく文字情報３０６ｂを第２表示面１１４ｂにのみ表示される例を示したが、これに限らない。
【０１５０】
例えば、図１４（ａ）及び図１４（ｂ）に示すように、音声に基づく文字情報３０６ｂを第２表示面１１４ｂに左右正像で表示させるとともに、第１表示面１１４ａにおいては、第１ユーザ４０１Ｊが使用する言語の文字情報３０６ａ（言語変換せずにテキストデータ化のみされた文字情報）を左右正像で表示させても構わない。これにより、発話者である第１ユーザ４０１Ｊ自身も発話した自分の音声を文字情報として視認することができるので、第２ユーザ４０２Ｅ側の第２表示面１１４ｂに正しく発話内容が表示されているかを容易に把握することができる。
【０１５１】
また、本実施の形態では、第１表示面１１４ａ及び第２表示面１１４ｂのそれぞれには、特定の１種類の言語を表示するように構成したが、これに限らない。例えば、タッチパネル機能を用いることによって、内蔵する辞書ＤＢを用いて言語の種類を切替えて表示させるように構成しても構わない。
【０１５２】
（実施の形態３）
次に、本発明の実施の形態３に係る透明ディスプレイ装置３００について、図１５及び図１６を用いて説明する。図１５は、本発明の実施の形態３に係る透明ディスプレイ装置３００の構成を示すブロック図である。図１６（ａ）は、本発明の実施の形態３に係る透明ディスプレイ装置３００を第１表示面１１４ａ側から見たときの表示例を示す図である。図１６（ｂ）は、同透明ディスプレイ装置３００を第２表示面１１４ｂ側から見たときの表示例を示す図である。
【０１５３】
本実施の形態は、実施の形態２の構成と概ね同じであるが、実施の形態２に対して、さらに、データ供給部２４より供給される文字情報についても言語変換を行うものである。
【０１５４】
図１５に示すように、本実施の形態に係る透明ディスプレイ装置３００では、データ供給部２４から供給される文字情報が、信号処理部１３だけではなく変換処理部３２にも送信される。データ供給部２４から供給された文字情報は、変換処理部３２において、ユーザが使用する言語に変換される。
【０１５５】
そして、ユーザの使用言語に変換された文字情報は、文字情報表示方向制御部１７によって、第１表示面１１４ａ及び第２表示面１１４ｂのいずれにおいても左右正像で表示されるように変換され、表示パネル制御回路１５によって第１表示面１１４ａ及び第２表示面１１４ｂのいずれにも左右正像で表示される。
【０１５６】
以下、図１６（ａ）及び図１６（ｂ）を用いて、本発明の実施の形態３に係る透明ディスプレイ装置３００の表示動作について説明する。
【０１５７】
本実施の形態は、実施の形態２と同様に、透明ディスプレイ装置３００を挟む二人のユーザが異なる言語を話す場合であり、第１表示面１１４ａ側にいる第１ユーザ４０１Ｊが主に日本語を話すユーザであり、第２表示面１１４ｂ側にいる第２ユーザ４０２Ｅが主に英語を話すユーザである。
【０１５８】
透明ディスプレイ装置３００は、実施の形態２と同様に、第１ユーザ４０１Ｊ及び第２ユーザ４０２Ｅの発話状況に基づいて、第１ユーザ４０１Ｊ及び第２ユーザ４０２Ｅがそれぞれ使用する言語の種類を判定する。例えば、第１ユーザ４０１Ｊが主に使用する言語は日本語であると判定され、第２ユーザ４０２Ｅが主に使用する言語が英語であると判定される。
【０１５９】
従って、例えば、データ供給部２４より供給される文字情報が日本語の「動物」である場合、データ供給部２４より供給される「動物」という文字情報は、第２ユーザ４０２Ｅが使用する英語に言語変換されて、第２表示面１１４ｂに左右正像で表示される。本実施の形態では、図１６（ｂ）に示すように、「ＡＮＩＭＡＬ」という文字情報３０１ｂが第２表示面１１４ｂに左右正像で表示される。
【０１６０】
また、この例では、データ供給部２４より供給される文字情報の言語と第１ユーザ４０１Ｊが使用する言語とは同じ言語（日本語）であるので、データ供給部２４より供給される「動物」という文字情報は、第１表示面１１４ａにおいては言語変換されずに左右正像で表示される。本実施の形態では、図１６（ａ）に示すように、「動物」という文字情報３０１ａが第１表示面１１４ａに左右正像で表示される。
【０１６１】
以上、本発明の実施の形態３に係る透明ディスプレイ装置３００によれば、データ供給部２４から供給される文字情報についても、当該文字情報が表示される表示面を見るユーザが使用する言語に適合した文字情報に言語変換されて各表示面において左右正像で表示される。これにより、言語の異なる複数のユーザ同士が対話する場合であっても、各ユーザそれぞれが自分の言語に適した文字情報を見ることができるので、実施の形態２よりも、さらに情報共有を容易に図ることができる。
【０１６２】
なお、本実施の形態では、データ供給部２４から供給される文字情報の表示動作を説明したが、図１６（ａ）及び図１６（ｂ）に示すように、第１ユーザ４０１Ｊ及び第２ユーザ４０２Ｅが発する音声についても自動的に自分の使用言語に適合した文字情報に変換して左右正像で表示しても構わない。
【０１６３】
さらに、実施の形態２と同様に、一方のユーザが発した音声を自動的に他方のユーザが使用する言語に適合する文字情報に言語変換して、当該文字情報を他方のユーザ側の表示面に左右正像で表示しても構わない。
【０１６４】
また、実施の形態２と同様に、表示パネル１４に表示される文字情報３０１ａ、３０１ｂ、３０６ａ及び３０６ｂについては、タッチパネル機能を用いることによって、内蔵する辞書ＤＢを用いて言語の種類を切替えて表示させても構わない。
【０１６５】
（実施の形態４）
次に、本発明の実施の形態４に係る透明ディスプレイ装置４００について、図１７を用いて説明する。図１７は、本発明の実施の形態４に係る透明ディスプレイ装置４００の構成を示すブロック図である。
【０１６６】
本実施の形態は、実施の形態２の構成と概ね同じであるが、実施の形態２の表示位置指示部５０の代わりにレイアウト処理部６０を備える点で実施の形態２と異なる。
【０１６７】
図１７に示すように、本実施の形態に係る透明ディスプレイ装置４００は、音声に基づく文字情報（第１文字情報）を表示する位置（レイアウト）を決定するレイアウト処理部６０を備える。レイアウト処理部６０によって、音声に基づく文字情報が表示パネル１４の第１表示面１１４ａ及び第２表示面１１４ｂのどの位置に表示されるかが決定される。
【０１６８】
以下、本発明の実施の形態４に係る透明ディスプレイ装置４００の表示動作について、図１８、図１９（ａ）及び図１９（ｂ）を用いて説明する。図１８は、本発明の実施の形態４に係る透明ディスプレイ装置４００の表示レイアウトの一例を示す図である。図１９（ａ）は、本発明の実施の形態４に係る透明ディスプレイ装置４００を第１表示面１１４ａ側から見たときの表示例を示す図である。図１９（ｂ）は、同透明ディスプレイ装置４００を第２表示面１１４ｂ側から見たときの表示例を示す図である。
【０１６９】
図１８に示すように、透明表示部１１（表示パネル１４）は、文字情報３０１ａが表示される領域を含む領域である文字情報表示領域３０１Ａと、画像（図１８では静止画像のオブジェクト画像３０２）が表示される領域を含む領域である画像表示領域（図１８では静止画像表示領域３０２Ａ）と、文字情報表示領域３０１Ａ及び画像表示領域以外の領域である第１背景領域３０４とからなる。従って、第１背景領域３０４は、向こう側が透けて見える領域である。なお、本実施の形態において、画像表示領域には静止画像が表示されているが、動画像が表示される場合も含まれる。
【０１７０】
また、静止画像表示領域３０２Ａのうち画像（図１８ではオブジェクト画像３０２）以外の領域は、第２背景領域３０５である。なお、文字情報表示領域３０１Ａ、静止画像表示領域３０２Ａ、第１背景領域３０４及び第２背景領域３０５の各領域は、図１８においては、第１表示面１１４ａの場合を示しているが、第２表示面１１４ｂにおいても同様である。
【０１７１】
なお、第２背景領域３０５を検出する方法（画像中の背景領域を検出する方法）としては、例えば、画像の複雑度が小さい領域を背景領域とする方法がある。なお、第２背景領域を検出する手法には特に制限がなく、濃淡変化の急激さを表すエッジ強度を用いる方法や空間周波数を用いる方法などがある。
【０１７２】
図１９（ａ）及び図１９（ｂ）に示すように、第１表示面１１４ａ側の第１ユーザ４０１が「ＣＡＴ」と発話した場合、第１ユーザ４０１が発した「ＣＡＴ」の音声は、透明ディスプレイ装置４００によって文字情報に変換されて、「ＣＡＴ」という文字情報３０６ｂが第２ユーザ４０２側の第２表示面１１４ｂに左右正像で表示される。
【０１７３】
さらに、図１９（ｂ）に示すように、第２表示面１１４ｂに表示される音声に基づく「ＣＡＴ」の文字情報３０６ｂは、第１背景領域３０４に表示されている。第１背景領域３０４は、データ供給部２４から供給されて表示される文字情報３０１ｂ及び画像（図ではオブジェクト画像３０２）のいずれも存在しない領域である。
【０１７４】
以上、本発明の実施の形態４に係る透明ディスプレイ装置４００によれば、文字情報や画像の視認性とお互いのユーザの指の差し合い易さとを確保しつつ、相手の発話内容を視覚的に確認することができるので、情報共有をさらに容易に図ることができる。
【０１７５】
なお、本実施の形態では、音声に基づく文字情報３０６ｂは、第１背景領域３０４に表示したが、図２０（ａ）及び図２０（ｂ）に示すように、第２背景領域３０５に表示しても構わない。
【０１７６】
さらに、この場合、レイアウト処理部６０は、データ供給部２４より供給された文字情報及び画像に基づいて第１背景領域３０４及び第２背景領域３０５を検出して、音声に基づく文字情報を、第１背景領域３０４及び第２背景領域３０５のいずれかに表示することを決定し、文字情報表示方向制御部１７に送信するように構成することができる。
【０１７７】
このとき、発話情報とデータ供給部２４から供給される文字情報との関連度、又は、発話情報とデータ供給部２４から供給される画像に付与されているメタ情報（タイトルや種類、内容などのデータ）との関連度によって、音声に基づく文字情報を表示する位置を決定してもよい。なお、関連度の算出手法に特に制限はなく、例えば、Ｌｅｖｅｎｓｈｔｅｉｎの距離を用いる方法やシソーラス（類語集）を用いる方法などを用いることができる。
【０１７８】
なお、データ供給部２４から供給された画像にメタ情報が付与されていない場合は、画像中に含まれる文字情報を認識したり人物や物体を認識したりすることによってメタ情報を作成することもできる。また、文字情報を認識する方法には特に制限はなく、例えば、色情報クラスタリング、２値化処理又はノイズ除去処理等を施した後に、パターン辞書照合により文字を抽出する方法などを用いることができる。さらに、人物や物体を認識する方法にも特に制限はなく、例えば、パターンマッチングや肌色領域抽出による方法、あるいは、サンプル画像を用いた学習（例えばニューラルネットワークやブースティングを用いた学習など）により設定される学習データを用いる方法などの用いることができる。
【０１７９】
また、本実施の形態では、第１ユーザ４０１は英語（「ＣＡＴ」）を発話したが、第１ユーザ４０１が日本語（例えば、「ネコ」）を発話したとしても同様である。
【０１８０】
また、本実施の形態においても、上記の実施の形態と同様に、第２表示面１１４ｂに表示される文字情報３０６ｂは、タッチパネル機能を用いることによって言語の種類を切替えて表示させても構わない。
【０１８１】
（実施の形態５）
次に、本発明の実施の形態５に係る透明ディスプレイ装置５００について、図２１（ａ）及び図２１（ｂ）を用いて説明する。図２１（ａ）は、本発明の実施の形態５に係る透明ディスプレイ装置を第１表示面１１４ａ側から見たときの表示例を示す図である。図２１（ｂ）は、同透明ディスプレイ装置を第２表示面１１４ｂ側から見たときの表示例を示す図である。
【０１８２】
本実施の形態に係る透明ディスプレイ装置５００の構成は、実施の形態４に係る透明ディスプレイ装置４００の構成と同じである。本実施の形態が実施の形態４と異なる点は、音声に基づく文字情報を表示する位置（レイアウト）である。なお、実施の形態４と同様に、表示位置（レイアウト）は、レイアウト処理部６０によって決定される。
【０１８３】
図２１（ａ）及び図２１（ｂ）に示すように、本実施の形態でも、第１表示面１１４ａ側の第１ユーザ４０１が「ＣＡＴ」と発話した場合、第１ユーザ４０１が発した「ＣＡＴ」の音声は、透明ディスプレイ装置４００によって文字情報に変換されて、第２ユーザ４０２側の第２表示面１１４ｂに左右正像で表示される。
【０１８４】
そして、本実施の形態では、図２１（ｂ）に示すように、第２表示面１１４ｂに表示される音声に基づく「ＣＡＴ」の文字情報３０６ｂは、第１ユーザ４０１が発した音声に関連する特定のオブジェクト画像３０２に対応付けて表示されている。具体的には、第１ユーザ４０１が猫のオブジェクト画像３０２を見て「ＣＡＴ」と発話した場合、この音声に基づく文字情報３０６ｂは、オブジェクト画像近傍領域３０２Ｐに表示される。
【０１８５】
オブジェクト画像近傍領域３０２Ｐは、データ供給部２４から供給されて表示される文字情報３０１ｂ及び画像（図ではオブジェクト画像３０２）のいずれも存在しない第１背景領域３０４内であって、オブジェクト画像３０２の近傍の領域である。オブジェクト画像３０２の近傍の領域とは、例えば、データ供給部２４から供給される文字情報３０１ｂが表示されている場合は、当該文字情報３０１ｂよりもオブジェクト画像３０２に近い側の領域とすることができる。あるいは、オブジェクト画像３０２と何らかの関連があると認識されうる範囲内の領域をオブジェクト画像３０２の近傍の領域とすることもできる。
【０１８６】
以上、本発明の実施の形態５に係る透明ディスプレイ装置５００によれば、文字情報や画像の視認性とお互いのユーザの指の差し合い易さとを確保しつつ、相手の発話内容を発話対象の近くで視覚的に確認することができるので、情報共有をさらに容易に図ることができる。
【０１８７】
（実施の形態６）
次に、本発明の実施の形態６に係る透明ディスプレイ装置１００Ｂについて、図２２〜図２４を用いて説明する。図２２は、本発明の実施の形態６に係る透明ディスプレイ装置１００Ｂの構成を示すブロック図である。図２３は、本発明の実施の形態６に係る透明ディスプレイ装置１００Ｂの断面図である。図２４は、本発明の実施の形態６における表示パネル１４Ｂの断面図であり、サブ画素ＰＸにおける断面構成を示している。
【０１８８】
なお、本実施の形態に係る透明ディスプレイ装置１００Ｂは、実施の形態１に係る透明ディスプレイ装置１００と基本的な構成は同じである。
【０１８９】
図２２に示すように、本実施の形態における透明ディスプレイ装置１００Ｂは、図２の透明ディスプレイ装置１００と比較して、透明表示部１１の代わりに透明表示部１１Ｂを備えており、また、表示制御部１２の代わりに表示制御部１２Ｂを備える。
【０１９０】
透明表示部１１Ｂは、第１表示パネル１４ａ及び第２表示パネル１４ｂを有し、第１表示パネル１４ａと第２表示パネル１４ｂとは貼り合わされて構成されている。なお、第１表示パネル１４ａ及び第２表示パネル１４ｂの各々は、実施の形態１における表示パネル１４と同様の構成である。
【０１９１】
表示制御部１２Ｂは、第１表示パネル１４ａにおける画像や文字情報の表示を制御するための第１表示パネル制御回路１５ａと、第２表示パネル１４ｂａにおける画像や文字情報の表示を制御するための第２表示パネル制御回路１５ｂとを備える。第１表示パネル制御回路１５ａ及び第２表示パネル制御回路１５ｂは、対応する各表示パネルを独立して駆動することができる。
【０１９２】
また、図２３に示すように、透明表示部１１Ｂにおける一方の面及び他方の面は、第１表示面１１４ａ及び第２表示面１１４ｂである。透明表示部１１Ｂは、図２４に示すように、表示パネル１４ａのガラス基板Ｐ１１と表示パネル１４ｂのガラス基板Ｐ１１とを貼り合わすことにより構成される。すなわち、透明表示部１１Ｂは、図１（ｂ）の表示パネル１４を２つ用いて、表示パネル１４においてより多くの光を発する面が、本実施形態における第１表示面１１４ａ及び第２表示面１１４ｂとなるように貼り合わされた構成されている。このようにすることで、第１表示面１１４ａ及び第２表示面１１４ｂに表示される画像及び文字情報の視認性を向上させることができる。
【０１９３】
本実施の形態において、第１表示パネル１４ａ及び第２表示パネル１４ｂには、実施の形態１と同様にして、音声に基づく文字情報、データ供給部２４から供給される文字情報及び画像が表示される。この場合、データ供給部２４から供給される画像については、画像表示方向制御部１６によって、第１表示パネル１４ａ及び第２表示パネル１４ｂの対面する同じ領域に表示されるように制御される。例えば、画像とともに供給される画像座標データに基づいて、第１表示パネル１４ａ又は第２表示パネル１４ｂのいずれか一方に対しては、座標データを変換して送信する。
【０１９４】
なお、本実施の形態において、第１表示パネル制御回路１５ａ及び第２表示パネル制御回路１５ｂは、第１表示パネル１４ａ及び第２表示パネル１４ｂを同期させて駆動する。
【０１９５】
以上、本発明の実施の形態６に係る透明ディスプレイ装置１００Ｂによれば、２つの透明な表示パネルを用いることにより、高輝度及び高解像度を維持することが可能となる。また、透明表示部１１Ｂに表示される画像及び文字情報の画質や視認性を向上させることができる。さらに、本実施の形態では、２つの表示パネルを用いて各表示パネルを独立して駆動することができるので、両面表示を容易に行うことができる。
【０１９６】
（実施の形態７）
次に、本発明の実施の形態７に係る透明ディスプレイ装置１００Ｃについて、図面を参照しながら説明する。
【０１９７】
図２５（ａ）は、本発明の実施の形態７に係る透明ディスプレイ装置１００Ｃの概略構成を示す斜視図であり、図２５（ｂ）は、同透明ディスプレイ装置１００Ｃの断面図である。
【０１９８】
図２５（ａ）及び図２５（ｂ）に示すように、透明ディスプレイ装置１００Ｃは、画像及び文字情報を表示するための第１表示面１１４ａ及び第２表示面１１４ｃを両面とする透明表示部１１Ｃを有する。第１表示面１１４ａと第２表示面１１４ｃとは対向するように配置される。
【０１９９】
図２６は、本発明の実施の形態７に係る透明ディスプレイ装置１００Ｃの構成を示すブロック図である。
【０２００】
図２６に示すように、透明ディスプレイ装置１００Ｃは、図２の透明ディスプレイ装置１００と比較して、透明表示部１１の代わりに透明表示部１１Ｃを備える点と、透過率制御部８０をさらに備える点とが異なる。
【０２０１】
透明表示部１１Ｃは、表示パネル１４と、透過率変更部７０と、図示しないドライブ回路とを有する。透明表示部１１Ｃの一方の表面が第１表示面１１４ａであり、透明表示部１１Ｃの他方の表面が第２表示面１１４ｃである。
【０２０２】
透過率変更部７０は、表示パネル１４と同じ大きさであって、表示パネル１４に対面するように配置されている。
【０２０３】
透過率制御部８０は、透過率変更部７０の透過率を部分的に異ならせることができ、本実施の形態では、表示パネル１４の文字情報表示領域と画像表示領域とに対応する領域において透過率を異ならせることができる。
【０２０４】
以下、本実施の形態における透過率変更部７０の構成について、図２７を用いて詳細に説明する。図２７は、本実施の形態に係る透明ディスプレイ装置１００Ｃにおける画素部ＰＸ１０の構成の一例を示す断面図である。本実施の形態では、透明シールＰ１７の表面が第１表示面１１４ａである。
【０２０５】
図２７に示すように、透過率変更部７０は、第１偏光板７１と、第１透明基板７２と、第１透明電極７３と、液晶層７４と、第２透明電極７５と、第２透明基板７６と、第２偏光板７７とを含む。
【０２０６】
液晶層７４は、当該液晶層７４を透過する光の量を調整することができる透過光量調整層であり、第１透明電極７３が形成された第１透明基板７２と、第２透明電極７５が形成された第２透明基板７６との間に形成される。本実施の形態において、液晶層７４は、ＴＮ（Ｔｗｉｓｔｅｄ  Ｎｅｍａｔｉｃ）液晶である。
【０２０７】
また、第１透明基板７２の上部には第１偏光板７１が設けられ、第２透明基板７６の下部には第２偏光板７７が設けられる。第１偏光板７１と第２偏光板７７とは偏光方向が直交するように配置されている。なお、第２偏光板７７の表面が第２表示面１１４ｃである。
【０２０８】
透過率変更部７０は、第１透明電極７３及び第２透明電極７５に電圧を印加する制御部（不図示）をさらに備え、第１透明電極７３及び第２透明電極７５に印加される電圧によって、液晶層７４の液晶分子の配列状態を変化させて、液晶層７４を透過する光の量を変化させることができる。
【０２０９】
本実施の形態では、ノーマリーホワイトモードであり、電圧が印加されない状態（オフ状態）の場合、液晶層７４の液晶分子は、９０度ねじれたツイスト（ｔｗｉｓｔ）配列となっている。一方、電圧が印加される状態（オン状態）の場合、液晶層７４の液晶分子はねじれがとれて第１透明基板７２に対して垂直に配列する。
【０２１０】
ここで、図２７において、透過率変更部７０を透過する光の光源が第２偏光板７７側にあるとする。このような光源としては、例えば、室内照明光等の間接光又は太陽光等の自然光が考えられる。
【０２１１】
この場合、電圧無印加状態（オフ状態）では、第２偏光板７７を透過して第１偏光板７１に進行する光は、液晶層７４によって９０度ねじられるので、第１偏光板７１を透過する。一方、電圧印加状態（オン状態）では、第２偏光板７７を透過して第１偏光板７１に進行する光は第１偏光板７１によって遮断される。 
【０２１２】
また、本実施の形態では、液晶に印加する電圧の大きさに応じて液晶分子の配列状態を制御することができる。これにより、液晶層７４を透過する光の量を調節することができるので、黒色と白色との間の階調（Ｇｒａｙ）を表すことができる。
【０２１３】
なお、本実施の形態において、透過率変更部７０は、透明表示部１１Ｃに入射する間接光又は自然光の透過率を調整するように構成したが、文字情報又は画像を表示するために発光させる発光層Ｐ１４からの光の透過率を調整するように構成しても構わない。
【０２１４】
また、透過率変更部７０は、表示パネル１４における画素部ＰＸ１０の数と同じ数の画素部ＰＸ２０で構成される。さらに、透過率変更部７０は、画素部ＰＸ２０ごとに画素ＰＸを選択するためのＴＦＴ（不図示）が設けられており、ＴＦＴによって透過率を調整する画素ＰＸ２０を選択することができる。これにより、画素部ＰＸ２０ごとに透過率を調整することができる。
【０２１５】
この場合、透過率制御部８０の制御により、表示パネル１４を構成する複数の画素部ＰＸ１０の各々に対応する透過率変更部７０の各画素部ＰＸ２０の透過率が変更される。例えば、透過率変更部７０は、画素部ＰＸ２０に印加される電圧が大きい程、当該画素部ＰＸ２０の透過率を１００％に近づける。一方、透過率変更部７０は、画素部ＰＸ２０に印加される電圧が小さい程（０に近い程）、当該画素部ＰＸ２０の透過率を０％に近づける。
【０２１６】
なお、透過率変更部７０は、画素部ＰＸ２０に印加される電圧が小さい程（０に近い程）、当該画素部ＰＸ２０の透過率を１００％に近づけるように構成してもよい。
【０２１７】
図２８は、透過率変更部７０における透過率を変更させるための領域を説明するための図である。図２８（ａ）は、第１表示面１１４ａの表示例を示す図であり、図２８（ｂ）は、透過率変更部７０における各領域を説明するための図である。
【０２１８】
また、図２９（ａ）は、本発明の実施の形態７に係る透明ディスプレイ装置を第１表示面１１４ａ側から見たときの表示例を示す図である。図２９（ｂ）は、同透明ディスプレイ装置を第２表示面１１４ｃ側から見たときの表示例を示す図である。
【０２１９】
図２８（ａ）、図２９（ａ）及び図２９（ｂ）に示すように、本実施の形態における表示動作は、実施の形態１と同様にして行うことができる。
【０２２０】
例えば、データ供給部２４から猫に関する静止画像（ここでは猫のオブジェクト画像）が供給された場合、図２８（ａ）に示すように、猫のオブジェクト画像３０２が表示パネル１４に表示される。この場合、図２９（ａ）及び図２９（ｂ）に示すように、オブジェクト画像３０２は、第１ユーザ４０１側の第１表示面１１４ａでは左右正像で表示され、第２ユーザ４０２側の第２表示面１１４ｃでは左右逆像で表示される。
【０２２１】
また、データ供給部２４から「ＣＡＴ」という文字情報が供給された場合、図２８（ａ）、図２９（ａ）及び図２９（ｂ）に示すように、「ＣＡＴ」という文字情報３０１ａ及び３０１ｃは、第１表示面１１４ａ及び第２表示面１１４ｃにおいて左右正像で表示される。なお、発話者の音声を取り込んだ場合は、当該音声に基づく文字情報３０６ａ及び３０６ｃは、第１表示面１１４ａ及び第２表示面１１４ｃにおいて左右正像で表示される。
【０２２２】
また、上記の実施の形態では説明していないが、データ供給部２４から人間に関する動画像（ここでは人間のオブジェクト画像）が供給された場合、図２８（ａ）に示すように、人間のオブジェクト画像３０３が表示パネル１４に表示される。この場合、静止画像のオブジェクト画像と同様に、図２９（ａ）及び図２９（ｂ）に示すように、動画像のオブジェクト画像３０３は、第１ユーザ４０１側の第１表示面１１４ａでは左右正像で表示され、第２ユーザ４０２側の第２表示面１１４ｃでは左右逆像で表示される。
【０２２３】
なお、図２８（ａ）に示すように、文字情報３０１ａ（３０６ａ）が表示される領域を含む領域は文字情報表示領域３０１Ａであり、静止画像に関するオブジェクト画像３０２が表示される領域を含む領域は静止画像表示領域３０２Ａであり、動画像に関するオブジェクト画像３０３が表示される領域を含む領域は動画像表示領域３０３Ａである。なお、動画像表示領域３０３Ａは、所定の座標データで定められるウィンドウ領域（１フレーム全体）とすることができる。
【０２２４】
透過率制御部８０は、表示パネル１４に表示される画像及び文字情報に基づいて、透過率変更部７０にいて透過率を変更させる領域を特定する。具体的には、図２８（ｂ）に示すように、透過率制御部８０は、文字情報表示領域３０１Ａに対面する透過率変更部７０の領域を文字情報領域３０１Ｒとして特定し、静止画像表示領域３０２Ａに対面する透過率変更部７０の領域を静止画像領域３０２Ｒとして特定し、動画像表示領域３０３Ａに対面する透過率変更部７０の領域を動画像領域３０３Ｒとして特定する。
【０２２５】
なお、文字情報領域３０１Ｒ、静止画像領域３０２Ｒ及び動画像領域３０３Ｒのそれぞれのサイズは、文字情報表示領域３０１Ａ、静止画像表示領域３０２Ａ及び動画像表示領域３０３Ａのサイズと同程度のサイズである。
【０２２６】
また、透過率制御部８０は、透過率変更部７０のうち、文字情報領域３０１Ｒ、静止画像領域３０２Ｒ及び動画像領域３０３Ｒ以外の領域を背景領域３０７として特定する。特定される背景領域３０７は、第１表示面１１４ａの表示状態によって異なる。例えば、第１表示面１１４ａに文字情報３０１ａ（３０６ａ）及びオブジェクト画像３０２が表示された場合は、背景領域３０７は、文字情報領域３０１Ｒ及び静止画像領域３０２Ｒ以外の領域となる。
【０２２７】
そして、透過率制御部８０は、特定した領域の種類に応じて当該領域の透過率を変更するように制御する。具体的に、透過率制御部８０は、特定した各領域の透過率が、以下の式１を満たすように透過率変更部７０の各領域を制御する。
【０２２８】
背景透過率＞文字透過率＞静止画像透過率＞動画像透過率・・・（式１）
【０２２９】
式１において、背景透過率、文字透過率、静止画像透過率および動画像透過率は、それぞれ、背景領域３０７の透過率、文字情報領域３０１Ｒの透過率、静止画像領域３０２Ｒの透過率及び動画像領域３０３Ｒの透過率を示している。
【０２３０】
例えば、背景透過率、文字透過率、静止画像透過率及び動画像透過率のそれぞれが、９０％、６０％、３０％、１０％となるように透過率変更部７０を制御する。なお、各領域において異なる透過率とするには、上述のように各領域に対応する液晶層７４に印加する電圧を変更することによって行うことができる。
【０２３１】
これにより、文字情報３０１ａ、静止画像（オブジェクト画像３０２）、動画像（オブジェクト画像３０３）の順でコントラストを高くすることができる。この場合、本実施の形態では、間接光又は自然光が第２偏光板７７（第２表示面１１４ｃ）側から第１表示面１１４ａに向かって照射されているので、第１表示面１１４ａを見る第１ユーザ４０１は、静止画像としてのオブジェクト画像３０２よりも、動画像としてのオブジェクト画像３０３を容易に認識することができる。また、第１表示面１１４ａを見る第１ユーザ４０１は、文字情報３０１ａよりも静止画像（オブジェクト画像３０２）及び動画像（オブジェクト画像３０３）を容易に認識することができる。
【０２３２】
従って、本実施の形態によれば、第１ユーザ４０１は、画像と文字情報とを容易に識別することができる。これにより、第１表示面１１４ａに表示される表示内容の視認性の低下を抑制することができる。
【０２３３】
また、上記の式１において、静止画像と動画像とを区別することなくいずれも画像として扱う場合、透過率制御部８０は、特定した各領域の透過率が、以下の式２を満たすように透過率変更部７０を制御してもよい。
【０２３４】
背景透過率＞文字透過率＞画像透過率・・・（式２）
【０２３５】
式２において、画像透過率は、画像領域の透過率を示しており、静止画像領域３０２Ｒの透過率又は動画像領域３０３Ｒの透過率である。
【０２３６】
また、文字情報が所定の方向に移動するテロップが表示パネル１４に表示される場合であって、テロップが示す文字の見易さを重視するような場合、透過率制御部８０は、以下の式３を満たすように透過率変更部７０を制御してもよい。
【０２３７】
背景透過率＞文字透過率＞テロップ透過率＞静止画像透過率＞動画像透過率・・・（式３）
【０２３８】
式３において、テロップ透過率とは、動画像領域３０３Ｒと同様に、テロップが表示される領域に対応する透過率変更部７０の領域である。
【０２３９】
式３を満たすように透過率変更部７０が制御されることにより、テロップが示す文字情報の視認性を向上させることができる。
【０２４０】
さらに、テロップが示す文字情報の動きを重視するような場合、透過率制御部８０は、以下の式４を満たすように透過率変更部７０を制御してもよい。
【０２４１】
背景透過率＞文字透過率＞静止画像透過率＞テロップ透過率＞動画像透過率・・・（式４）
【０２４２】
式４を満たすように、透過率変更部７０が制御されることにより、テロップが示す文字情報の動きの視認性を向上させることができる。
【０２４３】
あるいは、テロップの注目度を重視するような場合、透過率制御部８０は、以下の式５を満たすように透過率変更部７０を制御してもよい。
【０２４４】
背景透過率＞文字透過率＞静止画像透過率＞動画像透過率＞テロップ透過率・・・（式５）
【０２４５】
式５を満たすように透過率変更部７０が制御されることにより、テロップの視認性を向上させることができる。すなわち、ユーザにテロップを注目させることができる。
【０２４６】
なお、ユーザ同士が、指を指してコミュニケーションを図る場合、上記各領域の透過率の順序をユーザが任意に変更できるように構成しても構わない。
【０２４７】
また、透過率変更部７０は液晶層７４のように透過率を変化させるものに限らず、文字情報や画像が表示される領域が予め定められている場合は、透過率が異なるガラス板を複数個組み合わせることによって、各領域に対応する部分の透過率を予め異ならせておくこともできる。
【０２４８】
（その他の変形例）
以上、本発明に係る透明ディスプレイ装置について、実施の形態に基づいて説明したが、本発明は、これら実施の形態に限定されるものではない。本発明の主旨を逸脱しない範囲内で、当業者が思いつく変形を本実施の形態に施したものも本発明に含まれる。
【０２４９】
例えば、上記各実施の形態で扱う文字情報は、文字が所定の方向に移動するテロップであってもよい。この場合、テロップは、上記各実施の形態における文字情報と同様に、第１表示面１１４ａ及び第２表示面１１４ｂ（１１４ｃ）の両方において左右正像で表示される。
【０２５０】
また、上述のように、透明ディスプレイ装置における表示パネルとして、図３０に示すようなＬＣＤパネルを用いる場合、図３１に示すように構成することが好ましい。図３０は、一般的なＬＣＤパネルの画素断面図である。また、図３１は、本発明に係る透明ディスプレイ装置において、ＬＣＤパネルを用いた場合の構成を示す図である。
【０２５１】
図３０に示すように、ＬＣＤパネルは、一般的に、対向するガラス基板４１とガラス基板４８との間に封入された液晶層４５と、出入りする光をコントロールする偏光板４０、４９と、液晶を駆動するための透明電極４３、４７と、液晶分子を一定方向に並べるための配向膜４４、４６と、色を表示するためのカラーフィルタ４２とを含む。
【０２５２】
通常の液晶ディスプレイは、ＬＣＤパネルに加えて、ＬＣＤパネルの背面に配置されたバックライトユニットを備えており、バックライトユニットからの光を透過させ、この透過する光を制御することで画像が表示される。しかし、バックライトユニットは、一般的に非透過であるので背景が遮断される。従って、バックライトユニットを備える液晶ディスプレイでは、背景を透過させて見ることができない。
【０２５３】
そこで、本発明に係る透明ディスプレイ装置の表示パネルとして液晶パネルを用いる場合は、液晶パネルを介して背景を見ることができるように、図３１に示すように、バックライトユニットを用いずに、表示パネル１４の両側にいる第１ユーザ４０１と第２ユーザ４０２をランプ等の照明で明るく照らし、第１ユーザ４０１及び第２ユーザ４０２の各々の反射光を相手側に透過させることが好ましい。これにより、第１ユーザ４０１及び第２ユーザ４０２は、対面するユーザの表情やしぐさを確認しながら、画像の表示を同時に見ることが可能となる。
【０２５４】
また、上記の各実施の形態の透明ディスプレイ装置を構成する複数の構成要素の全て又は一部は、ハードウエアで構成されてもよい。また、上記の透明ディスプレイ装置を構成する構成要素の全てまたは一部は、ＣＰＵ（Ｃｅｎｔｒａｌ  Ｐｒｏｃｅｓｓｉｎｇ  Ｕｎｉｔ）等により実行されるプログラムのモジュールであってもよい。
【０２５５】
また、上記の各実施の形態の透明ディスプレイ装置を構成する複数の構成要素の全て又は一部は、１個のシステムＬＳＩ（Ｌａｒｇｅ  Ｓｃａｌｅ  Ｉｎｔｅｇｒａｔｉｏｎ：大規模集積回路）から構成されてもよい。システムＬＳＩは、複数の構成要素を１個のチップ上に集積して製造された超多機能ＬＳＩであり、具体的には、マイクロプロセッサ、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などを含んで構成されるコンピュータシステムである。
【０２５６】
例えば、信号処理部１３は、１個のシステムＬＳＩ（集積回路）から構成されてもよい。
【０２５７】
また、本発明は、透明ディスプレイ装置が備える特徴的な構成部の動作をステップとする表示制御方法として実現してもよい。また、本発明は、そのような表示制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０２５８】
また、透明ディスプレイ装置の構成は、本発明を具体的に説明するための一例の構成である。例えば、実施の形態１に係る透明ディスプレイ装置１００は、図２に示される全ての構成要素を備えなくてもよい。つまり、本発明に係る透明ディスプレイ装置は、本発明の効果を実現できる最小限の構成のみを備えればよい。
【産業上の利用可能性】
【０２５９】
本発明は、複数人のユーザが情報共有を図ることができる透明ディスプレイ装置及びこれを備えた電子機器等として広く有用である。例えば、本発明に係る透明ディスプレイ装置は、映画館のチケット売り場でチケットを買う場合、あるいは、病院などの細菌を隔離する部屋の中にいる人とその部屋を外側から見る人との間を隔てなければならない場合などの状況において有用である。
【符号の説明】
【０２６０】
１１、１１Ａ、１１Ｂ、１１Ｃ  透明表示部
１２、１２Ｂ  表示制御部
１３  信号処理部
１４、１４Ａ、１４ａ、１４ｂ  表示パネル
１５  表示パネル制御回路
１５ａ  第１表示パネル制御回路
１５ｂ  第２表示パネル制御回路
１６  画像表示方向制御部
１７  文字情報表示方向制御部
２４  データ供給部
２５  アンテナ
２６  チューナ
２７  復調回路
２８  入力端子
２９  記憶装置
３０  画像選択回路
３１  音声入力部
３２  変換処理部
３３  音声認識部
３４  文字情報蓄積部
３５  文字情報変換部
３６  言語判定部
４０、４９  偏光板
４１、４８  ガラス基板
４２  カラーフィルタ
４３、４７  透明電極
４４、４６  配向膜
４５  液晶層
７０  透過率変更部
７１  第１偏光板
７２  第１透明基板
７３  第１透明電極
７４  液晶層
７５  第２透明電極
７６  第２透明基板
７７  第２偏光板
８０  透過率制御部
１００、１００Ａ、１００Ｂ、１００Ｃ、２００、３００、４００、５００  透明ディスプレイ装置
１１４ａ  第１表示面
１１４ｂ、１１４ｃ  第２表示面
１１５ａ、１１５ｂ  シャッタ表示面
３０１ａ、３０１ｂ、３０６ａ、３０６ｂ、３０６ｃ  文字情報
３０１Ａ  文字情報表示領域
３０１Ｒ  文字情報領域
３０２、３０３  オブジェクト画像
３０２Ａ  静止画像表示領域
３０２Ｒ  静止画像領域
３０２Ｐ  オブジェクト画像近傍領域
３０３Ａ  動画像表示領域
３０３Ｒ  動画像領域
３０４  第１背景領域
３０５  第２背景領域
３０７  背景領域
４０１、４０１Ｊ  第１ユーザ
４０２、４０２Ｅ  第２ユーザ
ＰＸ１０、ＰＸ２０  画素部
Ｐ１１  ガラス基板
Ｐ１２  Ａｌ配線
Ｐ１３  アノード電極
Ｐ１４  発光層
Ｐ１５  カソード電極
Ｐ１６  保護層
Ｐ１７  透明シール
ＰＸＲ、ＰＸＧ、ＰＸＢ  サブ画素
ＳＨ１  第１液晶シャッタパネル
ＳＨ２  第２液晶シャッタパネル
【図１】
2013041411.tif 000003
【図２】
2013041411.tif 000004
【図３】
2013041411.tif 000005
【図４】
2013041411.tif 000006
【図５】
2013041411.tif 000007
【図６】
2013041411.tif 000008
【図７】
2013041411.tif 000009
【図８】
2013041411.tif 000010
【図９】
2013041411.tif 000011
【図１０】
2013041411.tif 000012
【図１１】
2013041411.tif 000013
【図１２】
2013041411.tif 000014
【図１３】
2013041411.tif 000015
【図１４】
2013041411.tif 000016
【図１５】
2013041411.tif 000017
【図１６】
2013041411.tif 000018
【図１７】
2013041411.tif 000019
【図１８】
2013041411.tif 000020
【図１９】
2013041411.tif 000021
【図２０】
2013041411.tif 000022
【図２１】
2013041411.tif 000023
【図２２】
2013041411.tif 000024
【図２３】
2013041411.tif 000025
【図２４】
2013041411.tif 000026
【図２５】
2013041411.tif 000027
【図２６】
2013041411.tif 000028
【図２７】
2013041411.tif 000029
【図２８】
2013041411.tif 000030
【図２９】
2013041411.tif 000031
【図３０】
2013041411.tif 000032
【図３１】
2013041411.tif 000033